(57)【要約】【課題】従来と比して格段と良好な視認性を確保して情報を表示し得るようにする。【解決手段】ユーザによるテレビ番組の視聴に伴い当該テレビ番組に係る情報がテレビ５に表示されている状況でリモートコントローラ３を介しパーソナルビデオレコーダ２に対する各種操作が行われる場合であっても、当該各種操作に応じた種々のパーソナルビデオレコーダ画面をリモートコントローラ３の表示部１１に表示するので、テレビ番組に係る情報の表示を阻害することなく当該各種操作に応じた情報を表示することができる。【選択図】　　　　図１
2004135194.tif 000002
【特許請求の範囲】
【請求項１】
電子機器と、当該電子機器を操作するために用いられる操作端末とによって構成される電子機器操作システムにおいて、
上記電子機器は、
主表示情報に関連した又は当該主表示情報から独立した副表示情報を所定の無線通信方式に従って送信し、
上記操作端末は、
当該操作端末に設けられた表示部に対して上記無線通信方式に従って上記電子機器から受信した上記副表示情報を表示する
ことを特徴とする電子機器操作システム。
【請求項２】
上記操作端末は、
上記電子機器から上記無線通信方式に従って受信した所定形式でなる画面定義データを解読する画面定義データ解読手段と、
上記画面定義データ解読手段の解読結果に基づく画面を上記表示部に表示する表示制御手段と
を具え、
上記電子機器は、
上記副表示情報の内容を記した上記画面定義データを上記無線通信方式に従って上記操作端末に対して送信することにより、当該副表示情報の内容を記した上記画面を上記操作端末の上記表示部に表示させる画面定義データ送信手段
を具えることを特徴とする請求項１に記載の電子機器操作システム。
【請求項３】
上記電子機器は、
上記画面定義データ送信手段によって上記操作端末に対して送信される上記副表示情報の内容を記した上記画面定義データを記憶保持する画面定義データ記憶手段
を具え、
上記電子機器操作システムは、
所定の通信路を介して上記電子機器と接続される画面定義データ更新装置
を有し、
上記画面定義データ更新装置は、
新たな副表示情報の内容を記した上記画面定義データを上記通信路を介して上記電子機器に対して送信し、当該電子機器の上記画面定義データ記憶手段に記憶保持されている上記副表示情報の内容を記した上記画面定義データを上記新たな副表示情報の内容を記した上記画面定義データに更新させる画面定義データ更新手段
を具えることを特徴とする請求項２に記載の電子機器操作システム。
【請求項４】
上記操作端末は、
上記表示部に表示した上記副表示情報に基づいて、上記電子機器に所定の処理を実行させるための制御情報を入力させる入力手段と、
上記制御情報を上記無線通信方式に従って上記電子機器に対して送信する制御情報送信手段と
を具え、
上記電子機器は、
上記操作端末から上記無線通信方式に従って上記制御情報を受信する制御情報受信手段と、
上記制御情報に応じた上記所定の処理を実行する処理実行手段と
を具えることを特徴とする請求項１に記載の電子機器操作システム。
【請求項５】
上記電子機器は、
当該電子機器における所定の処理の実行中又は実行終了後、当該所定の処理の処理状況又は処理結果の内容を上記副表示情報として上記操作端末に対して送信することにより、当該操作端末の上記表示部に上記所定の処理の処理状況又は処理結果の内容を表示させる処理情報送信手段
を具えることを特徴とする請求項１に記載の電子機器操作システム。
【請求項６】
上記電子機器操作システムは、
新たな副表示情報を所定の通信路を介して上記電子機器に対して提供する新規情報提供手段を有する新規情報提供装置
を具え、
上記電子機器は、
上記新規情報提供装置から上記通信路を介して上記新たな副表示情報が提供される度に、当該新たな副表示情報を上記操作端末に対して送信し、当該操作端末の上記表示部に表示されている上記副表示情報を上記新たな副表示情報に逐次更新させる更新手段
を具えることを特徴とする請求項１に記載の電子機器操作システム。
【請求項７】
上記電子機器は、
所定の配信局から配信される映像コンテンツを受信する映像コンテンツ受信手段と、
上記映像コンテンツ受信手段によって受信した上記映像コンテンツを上記主表示情報として所定の表示手段に表示する映像コンテンツ表示制御手段と
を具えることを特徴とする請求項１に記載の電子機器操作システム。
【請求項８】
上記電子機器は、
上記映像コンテンツ表示制御手段による上記映像コンテンツの表示履歴を表示履歴情報として記憶する表示履歴記憶手段と、
上記表示履歴情報を上記副表示情報として上記操作端末に対して送信することにより、当該操作端末の上記表示部に上記表示履歴情報を表示させる表示履歴送信手段と
を具えることを特徴とする請求項７に記載の電子機器操作システム。
【請求項９】
上記電子機器は、
所定の通信路を介して電子メールを受信する電子メール受信手段と、
上記電子メール受信手段によって受信した上記電子メールの内容が記されてなる上記副表示情報を上記操作端末に対して送信することにより、当該操作端末の上記表示部に上記電子メールの内容を表示させる電子メール内容送信手段と
を具えることを特徴とする請求項７に記載の電子機器操作システム。
【請求項１０】
上記電子機器操作システムは、
上記配信局から配信される上記映像コンテンツの配信予定が記された配信予定情報を所定の通信路を介して上記電子機器に対して提供する配信予定提供手段を有する配信予定提供装置
を具え、
上記電子機器は、
上記配信予定提供装置から上記通信路を介して提供された上記配信予定情報を上記副表示情報として上記操作端末に対して送信することにより、当該操作端末の上記表示部に上記配信予定情報を表示させる配信予定送信手段
を具えることを特徴とする請求項７に記載の電子機器操作システム。
【請求項１１】
上記電子機器操作システムは、
上記配信局から配信される複数種類の上記映像コンテンツのそれぞれに対応した関連情報を記憶する関連情報記憶手段と、上記関連情報記憶手段によって記憶している複数の上記関連情報のうち上記電子機器からの要求に応じた要求対象関連情報を所定の通信路を介して上記電子機器に対して提供する関連情報提供手段とを有する関連情報提供装置
を具え、
上記電子機器は、
上記映像コンテンツ表示制御手段によって上記表示手段に表示中の上記映像コンテンツに対応する関連情報を上記要求対象関連情報として上記関連情報提供装置に対して要求する要求手段と、
上記関連情報提供装置から上記通信路を介して提供された上記要求対象関連情報を上記副表示情報として上記操作端末に対して送信することにより、当該操作端末の上記表示部に上記要求対象関連情報を表示させる関連情報送信手段
を具えることを特徴とする請求項７に記載の電子機器操作システム。
【請求項１２】
上記電子機器は、
上記映像コンテンツ受信手段によって受信した上記映像コンテンツを記憶するための映像コンテンツ記憶手段と
上記配信局から配信される複数種類の上記映像コンテンツの中から任意の映像コンテンツを録画予約対象として指定する指定手段と、
上記映像コンテンツ受信手段を制御することにより、上記録画予約対象として指定された上記映像コンテンツを受信すると共に、当該受信した上記映像コンテンツを上記映像コンテンツ記憶手段に記憶させることにより、当該映像コンテンツを録画する録画手段と
を具えることを特徴とする請求項７に記載の電子機器操作システム。
【請求項１３】
上記電子機器は、
上記録画手段によって録画済みの上記映像コンテンツのタイトルが記されてなる録画済映像コンテンツタイトル情報を上記副表示情報として上記操作端末に対して送信することにより、当該操作端末の上記表示部に上記録画済映像コンテンツタイトル情報を表示させる録画済映像コンテンツタイトル送信手段
を具えることを特徴とする請求項１２に記載の電子機器操作システム。
【請求項１４】
上記電子機器は、
上記指定手段によって録画予約対象として指定済みの上記映像コンテンツのタイトルが記されてなる録画予約済映像コンテンツタイトル情報を上記副表示情報として上記操作端末に対して送信することにより、当該操作端末の上記表示部に上記録画予約済映像コンテンツタイトル情報を表示させる録画予約済映像コンテンツタイトル送信手段
を具えることを特徴とする請求項１２に記載の電子機器操作システム。
【請求項１５】
所定の無線通信方式に従って受信したデータに基づく情報を表示するための表示部を有する操作端末によって操作される電子機器において、
主表示情報に関連した又は当該主表示情報から独立した副表示情報を上記データとして上記無線通信方式に従って上記操作端末に対して送信することにより、上記操作端末の上記表示部に上記副表示情報を表示させる
ことを特徴とする電子機器。
【発明の詳細な説明】
【０００１】
【発明の属する技術分野】
本発明は電子機器操作システムに関し、例えば、テレビ番組の録画／再生機能を有するパーソナルビデオレコーダ（ＰＶＲ　：　Ｐｅｒｓｏｎａｌ　Ｖｉｄｅｏ　Ｒｅｃｏｒｄｅｒ）を操作する場合に適用して好適なものである。
【０００２】
【従来の技術】
近年、テレビ番組の録画媒体としてビデオテープの代わりにハードディスクドライブを適用したパーソナルビデオレコーダが普及し始めている。（例えば、特許文献１参照）
【０００３】
【特許文献１】
特開２００２−６４７６８公報（第２頁）
【０００４】
【発明が解決しようとする課題】
ところでかかる構成のパーソナルビデオレコーダは、例えばユーザによりテレビ番組の録画予約を設定するための録画予約設定操作が行われる際、当該録画予約設定操作に対応したパーソナルビデオレコーダの画面（以下、これをパーソナルビデオレコーダ画面と呼ぶ）をパーソナルビデオレコーダに接続されたテレビジョン（以下、これをテレビと呼ぶ）に表示するようになされており、このテレビに表示したパーソナルビデオレコーダ画面を介して録画予約設定操作に関する情報をユーザに視認させつつ、リモートコントローラを介して録画予約設定操作されるようになされている。
【０００５】
そしてこのパーソナルビデオレコーダは、例えばユーザによって何らかのテレビ番組がテレビを介して視聴されている状況であっても、録画予約設定操作が行われると、これに応じて上述のようなパーソナルビデオレコーダ画面をテレビに表示してしまい、これによりかかるテレビ番組の視聴に伴ってテレビに表示されていた当該テレビ番組に係る情報をユーザに視認させ難くしてしまう。
【０００６】
本発明は以上の点を考慮してなされたもので、従来と比して格段と良好な視認性を確保して情報を表示し得る電子機器操作システムを提案しようとするものである。
【０００７】
【課題を解決するための手段】
かかる課題を解決するために本発明においては、電子機器と、当該電子機器を操作するために用いられる操作端末とによって構成される電子機器操作システムにおいて、電子機器は、主表示情報に関連した又は当該主表示情報から独立した副表示情報を所定の無線通信方式に従って送信し、操作端末は、当該操作端末に設けられた表示部に対してかかる無線通信方式に従って電子機器から受信した副表示情報を表示するようにした。
【０００８】
また本発明においては、所定の無線通信方式に従って受信したデータに基づく情報を表示するための表示部を有する操作端末によって操作される電子機器において、主表示情報に関連した又は当該主表示情報から独立した副表示情報を当該データとしてかかる無線通信方式に従って操作端末に対して送信することにより、操作端末の表示部に副表示情報を表示させるようにした。
【０００９】
操作端末の表示部に副表示情報を表示するようにしたことにより、主表示情報の表示を阻害することなく副表示情報を表示することができると共に、電子機器を操作するユーザに対して副表示情報を容易に視認させることができる。
【００１０】
【発明の実施の形態】
以下図面について、本発明の一実施の形態を詳述する。
【００１１】
（１）パーソナルビデオレコーダ操作システムの全体構成
図１において、１は全体としてパーソナルビデオレコーダ操作システムを示し、パーソナルビデオレコーダ２及び当該パーソナルビデオレコーダ２を操作するためのリモートコントローラ３は、例えばブルートゥース（Ｂｌｕｅｔｏｏｔｈ　：　商標登録）に準拠した無線通信方式によって無線接続するようになされている。
【００１２】
因みにブルートゥースとは、標準化団体であるＢｌｕｅｔｏｏｔｈ　ＳＩＧ（Ｓｐｅｃｉａｌ　Ｉｎｔｅｒｅｓｔ　Ｇｒｏｕｐ）によって標準化された近距離無線データ通信規格であり、２．４［ＧＨｚ］帯のＩＳＭ（Ｉｎｄｕｓｔｒｉａｌ　Ｓｃｉｅｎｔｉｆｉｃ　Ｍｅｄｉｃａｌ）帯に帯域幅１［ＭＨｚ］のチャンネルを７９個設定し、１秒間に１６００回のチャンネルを切り換える周波数ホッピング方式のスペクトラム拡散通信方式を用い、約１０［ｍ］〜１００［ｍ］の小エリア内でデータ伝送速度１［Ｍｂｉｔ／ｓ］（実行７２３［ｋｂｉｔ／ｓ］）のデータ伝送を行うようになされたものである。
【００１３】
パーソナルビデオレコーダ２は、例えば図示しない放送衛星（ＢＳ　：　Ｂｒｏａｄｃａｓｔｉｎｇ　Ｓａｔｅｌｌｉｔｅ）から送出されたテレビ放送波を衛星放送受信アンテナ４を介して受信した後、これを復調することによってテレビ放送信号を得るようになされており、例えばリモートコントローラ３を介してユーザ所望のテレビ番組を録画するための操作が行われると、当該テレビ番組のテレビ放送信号を内蔵のハードディスクドライブに対して記録する。
【００１４】
またパーソナルビデオレコーダ２は、例えばリモートコントローラ３を介してユーザ所望のテレビ番組を再生するための再生操作が行われると、当該テレビ番組のテレビ放送信号を内蔵のハードディスクドライブから読み出した後、これをパーソナルビデオレコーダ２に接続されたテレビ５に対して出力するようになされている。
【００１５】
一方、パーソナルビデオレコーダ２は、ＥＰＧ（電子番組表　：　Ｅｌｅｃｔｒｉｃ　Ｐｒｏｇｒａｍ　Ｇｕｉｄｅ）情報を配信するための図示しない地上放送局（以下、これをＥＰＧ配信局と呼ぶ）から送出された地上放送波を地上放送受信アンテナ６を介して受信するようになされており、当該受信した地上放送波を復調することによってＥＰＧ情報を得るようになされている。
【００１６】
ところで、パーソナルビデオレコーダ２はインターネット７に接続されており、当該インターネット７を介して情報提供サーバ８と種々のデータ通信を行うようになされている。
【００１７】
情報提供サーバ８は、放送衛星を介してこれまで放送された及びこれから放送されるテレビ番組の内容や出演者等の詳細情報（以下、これをテレビ番組詳細情報と呼ぶ）をテレビ番組ごとに分類して保持していると共に、これから放送される特定のテレビ番組の視聴をユーザに対して勧めるための情報（以下、これをテレビ番組お勧め情報と呼ぶ）を保持しており、これらテレビ番組詳細情報及びテレビ番組お勧め情報をインターネット７を介しパーソナルビデオレコーダ２に対して適宜送信するようになされている。
【００１８】
またパーソナルビデオレコーダ２は電子メール送受信機能を有しており、例えばインターネット７を介して図示しないメールサーバとＰＯＰ（Ｐｏｓｔ　Ｏｆｆｉｃｅ　Ｐｒｏｔｏｃｏｌ）３及びＳＭＴＰ（Ｓｉｍｐｌｅ　Ｍａｉｌ　Ｔｒａｎｓｆｅｒ　Ｐｒｏｔｏｃｏｌ）に基づくデータ通信を行うことにより電子メールの送受を行うようになされている。
【００１９】
（２）リモートコントローラの構成
次に、リモートコントローラ３の構成について説明する。
【００２０】
図２に示すようにリモートコントローラ３は、例えばユーザが片手で把持可能な大きさ且つ偏平直方体形状でなる筐体１０を有している。
【００２１】
この筐体１０においては、その表面上部から表面中央部に亘って、例えば液晶ディスプレイでなる表示部１１が配設されており、表面下部には、ＬＥＤ（Ｌｉｇｈｔ　Ｅｍｉｔｔｉｎｇ　Ｄｉｏｄｅ）１２、上下左右方向を指定するための十字キー１３、決定キー１４、初期メニュー画面（後述する）を表示部１１に表示するためのメニューキー１５及びリモートコントローラ３の電源を投入するための電源キー１６が配設されている。
【００２２】
実際上、図３に示すようにリモートコントローラ３は、当該リモートコントローラ３を統括的に制御するためのＣＰＵ（Ｃｅｎｔｒａｌ　Ｐｒｏｃｅｓｓｉｎｇ　Ｕｎｉｔ）２０にバス２１を介して、ＲＯＭ（Ｒｅａｄ　Ｏｎｌｙ　Ｍｅｍｏｒｙ）２２、ワークエリアとしてのＲＡＭ（Ｒａｎｄｏｍ　Ａｃｃｅｓｓ　Ｍｅｍｏｒｙ）２３、例えばＰＩＯ（Ｐｒｏｇｒａｍｍｅｄ　Ｉｎｐｕｔ　Ｏｕｔｐｕｔ）転送モードによって十字キー１３、決定キー１４、メニューキー１５及び電源キー１６からなる操作入力部２４を制御するための操作入力制御部２５、表示部１１を制御するための表示制御部２６、スピーカ２７を制御するためのスピーカ制御部２８及びパーソナルビデオレコーダ２とブルートゥースに準拠した無線通信方式で無線接続するための無線通信処理部２９が接続されて構成されている。
【００２３】
ＲＯＭ２２には、図４に示すようなソフトウェア構成で各種プログラムが格納されており、最下位の第１階層Ｆ１ｒには、メモリ管理や時刻管理等の中核機能を提供するためのＯＳ（Ｏｐｅｒａｔｉｎｇ　Ｓｙｓｔｅｍ）カーネルプログラムが存在し、第２階層Ｆ２ｒには、表示制御部２６、スピーカ制御部２８及び無線通信処理部２９等の各回路部によって提供される種々の機能を第３階層に対して提供するための各種ドライバプログラムが存在する。
【００２４】
第３階層Ｆ３ｒには、第２階層Ｆ２ｒから提供される種々の機能をＡＰＩ（Ａｐｐｌｉｃａｔｉｏｎ　Ｐｒｏｇｒａｍ　Ｉｎｔｅｒｆａｃｅ）として利用可能とするための各種ミドルウェアプログラムや、ＷＷＷ（Ｗｏｒｌｄ　Ｗｉｄｅ　Ｗｅｂ）サーバ機能やＦＴＰ（Ｆｉｌｅ　Ｔｒａｎｓｆｅｒ　Ｐｒｏｔｏｃｏｌ）サーバ機能を提供するためのサーバプログラム等が存在する。
【００２５】
そして第４階層Ｆ４ｒには、第３階層Ｆ３ｒの各種ミドルウェアプログラムによって提供されたＡＰＩを利用することにより種々の機能を実現するためのアプリケーションプログラムが存在し、このようなアプリケーションプログラムとして、例えば、Ｗｅｂページを閲覧するためのブラウザプログラムや、後述する電子メール受信通知プログラム及び問い合わせプログラム等が存在する。
【００２６】
リモートコントローラ３のＣＰＵ２０は、ＲＯＭ２２に格納されたこれら各種プログラムを適宜読み出し、これをＲＡＭ２３に展開して実行することにより、リモートコントローラ３の各回路部を制御して各種処理を実行するようになされている。
【００２７】
さらにＲＯＭ２２には、電子メール受信通知音楽データ（後述する）等の種々の音楽データが予め格納されている。リモートコントローラ３のＣＰＵ２０は、ＲＯＭ２２に予め格納されたこれら種々の音楽データに基づいてスピーカ制御部２８を制御することにより、スピーカ２７から様々な音楽を出力するようになされている。
【００２８】
（３）パーソナルビデオレコーダの構成
次に、パーソナルビデオレコーダ２の構成について説明する。
【００２９】
図５に示すようにパーソナルビデオレコーダ２は、当該パーソナルビデオレコーダ２を統括的に制御するためのＣＰＵ３０にバス３１を介して、例えばＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）でなる電気的に読書き可能なＲＯＭ３２、ワークエリアとしてのＲＡＭ３３、ハードディスクドライブ３４、地上放送受信アンテナ６を介して受信したＥＰＧ配信局からの地上放送波を復調することによりＥＰＧ情報を生成するためのＥＰＧ情報処理部３５、リモートコントローラ３とブルートゥースに準拠した無線通信方式で無線接続するための無線通信処理部３６、表示制御部３７、チューナー部３８、エンコード／デコード部３９及びインターネット７と接続するためのネットワークインターフェース４０が接続されて構成されている。
【００３０】
ＲＯＭ３２には、図６に示すようなソフトウェア構成で各種プログラムが格納されており、最下位の第１階層Ｆ１ｈには、メモリ管理や時刻管理等の中核機能を提供するためのＯＳカーネルプログラムが存在し、第２階層Ｆ２ｈには、ＥＰＧ情報処理部３５、無線通信処理部３６、表示制御部３７等の各回路部によって提供される種々の機能を第３階層Ｆ３ｈに対して提供するための各種ドライバプログラムが存在する。
【００３１】
第３階層Ｆ３ｈには、第２階層Ｆ２ｈから提供される種々の機能をＡＰＩとして利用可能とするための各種ミドルウェアプログラムや、ＣＧＩ（Ｃｏｍｍｏｎ　Ｇａｔｅｗａｙ　Ｉｎｔｅｒｆａｃｅ）が利用可能なＷＷＷサーバ機能及びＦＴＰサーバ機能を提供するためのサーバプログラム等が存在する。
【００３２】
そして第４階層Ｆ４ｈには、第３階層Ｆ３ｒの各種ミドルウェアプログラムによって提供されたＡＰＩを利用することにより種々の機能を実現するためのアプリケーションプログラムが存在し、このようなアプリケーションプログラムとして、例えば、テレビ番組の録画／再生機能や、自動録画機能、録画予約機能、電子メール送受信機能等の基本機能を提供するための基本機能提供プログラムや、例えばＰｅｒｌ（Ｐｒａｃｔｉｃａｌ　Ｅｘｔｒａｃｔｉｏｎ　ａｎｄ　Ｒｅｐｏｒｔ　Ｌａｎｇｕａｇｅ）等によって記述されておりＣＧＩを介して起動される操作画面生成プログラム等が存在する。
【００３３】
パーソナルビデオレコーダ２のＣＰＵ３０は、ＲＯＭ３２に格納されたこれら各種プログラムを適宜読み出し、これをＲＡＭ３３に展開して実行することにより、パーソナルビデオレコーダ２の各回路部を制御して各種処理を実行するようになされている。
【００３４】
例えば、パーソナルビデオレコーダ２のＣＰＵ３０は基本機能提供プログラムに従ってチューナー部３８及びエンコード／デコード部３９を制御することにより、テレビ番組を録画する録画処理を実行する。
【００３５】
このときチューナー部３８はパーソナルビデオレコーダ２のＣＰＵ３０の制御により、衛星放送受信アンテナ４を介して受信したテレビ放送波に対して所定の復調処理を行い、この結果得られるテレビ番組のテレビ放送信号をエンコード／デコード部３９に対して送出する。
【００３６】
そしてエンコード／デコード部３９はパーソナルビデオレコーダ２のＣＰＵ３０の制御により、かかるテレビ番組のテレビ放送信号に対して例えばＭＰＥＧ（Ｍｏｖｉｎｇ　Ｐｉｃｔｕｒｅ　Ｅｘｐｅｒｔｓ　Ｇｒｏｕｐ）２に準拠した圧縮符号化処理等を行い、この結果得られたテレビ番組のテレビ番組データをハードディスクドライブ３４に記録するようになされている。
【００３７】
ここでこのエンコード／デコード部３９は、ハードディスクドライブ３４に記憶するテレビ番組データのデータ名（すなわち、ファイル名）として、当該テレビ番組データに対応するテレビ番組のタイトルを付与するようになされている。
【００３８】
またパーソナルビデオレコーダ２のＣＰＵ３０は、基本機能提供プログラムに従ってエンコード／デコード部３９及び表示制御部３７を制御することにより、録画済のテレビ番組を再生する再生処理を実行する。
【００３９】
このときエンコード／デコード部３９はパーソナルビデオレコーダ２のＣＰＵ３０の制御により、ハードディスクドライブ３４から再生処理の対象となるテレビ番組データを読み出した後、当該読み出したテレビ番組データに対してＭＰＥＧ２に準拠した伸長復号化処理等を行い、この結果得られたテレビ番組のテレビ放送信号を表示制御部３７を介してテレビ５に対し出力するようになされている。
【００４０】
さらに、このパーソナルビデオレコーダ２のＣＰＵ３０は基本機能提供プログラムに従ってテレビ番組を自動的に録画する自動録画機能を提供しており、例えばリモートコントローラ３を介してユーザが好むテレビ番組のジャンル（例えば、歌番組やスポーツ番組等）が登録されると、この登録に応じたテレビ番組を自動的に録画するようになされている。
【００４１】
一方、ハードディスクドライブ３４には、テレビ番組データを記憶するための記憶領域とは別にパーソナルビデオレコーダ画面記憶領域が設けられており、このパーソナルビデオレコーダ画面記憶領域に対しては、種々のパーソナルビデオレコーダ画面がＷｅｂページとして予め記憶されている。
【００４２】
因みにこのパーソナルビデオレコーダ画面のＷｅｂページは、ＨＴＭＬ（Ｈｙｐｅｒ　Ｔｅｘｔ　Ｍａｒｋｕｐ　Ｌａｎｇｕａｇｅ）ソースコード及び当該ＨＴＭＬソースコードに付随する例えばＧＩＦ（Ｇｒａｐｈｉｃｓ　Ｉｎｔｅｒｃｈａｎｇｅ　Ｆｏｒｍａｔ）形式でなる種々の画像データ等により構成されている。
【００４３】
ネットワークインターフェース４０に対しては、パーソナルビデオレコーダ２のＩＰ（Ｉｎｔｅｒｎｅｔ　Ｐｒｏｔｏｃｏｌ）アドレスがユーザ設定により登録されている。またパーソナルビデオレコーダ２のＲＯＭ３２には、パーソナルビデオレコーダ２固有のＩＤ（Ｉｄｅｎｔｉｆｉｃａｔｉｏｎ）が設定されている。ところで、本実施の形態においては、パーソナルビデオレコーダ２のＩＰアドレスがユーザ設定により登録されている場合について述べたが、図示しないＤＨＣＰ（Ｄｙｎａｍｉｃ　Ｈｏｓｔ　Ｃｏｎｆｉｇｕｒａｔｉｏｎ　Ｐｒｏｔｏｃｏｌ）サーバ等により動的に当該ＩＰアドレスを設定するようにしても良い。
【００４４】
従ってパーソナルビデオレコーダ２は、このパーソナルビデオレコーダ２固有のＩＤとＩＰアドレスをインターネット７を介して決まったＩＰアドレスを有する情報提供サーバ８に送信することにより、情報提供サーバ８からアクセスされ得るようになされている。
【００４５】
（４）情報提供サーバの構成
次に、情報提供サーバ８の構成について説明する。
【００４６】
図７に示すように情報提供サーバ８は、当該情報提供サーバ８を統括的に制御するためのＣＰＵ５０にバス５１を介して、ＲＯＭ５２、ワークエリアとしてのＲＡＭ５３、ハードディスクドライブ５４及びインターネット７と接続するためのネットワークインターフェース５５が接続されて構成されている。
【００４７】
ＲＯＭ５２には、基本プログラム（例えば、ＵＮＩＸ（登録商標））や、後述する情報提供プログラム等の各種プログラムが予め格納されている。
【００４８】
情報提供サーバ８のＣＰＵ５０は、ＲＯＭ５２に格納されたこれら各種プログラムを適宜読み出し、これをＲＡＭ５３に展開して実行することにより、情報提供サーバ８の各回路部を制御して各種処理を実行するようになされている。
【００４９】
一方、ハードディスクドライブ５４には、テレビ番組詳細情報記憶領域が設けられており、このテレビ番組詳細情報記憶領域に対しては、図示しない放送衛星を介してこれまで放送された及びこれから放送される複数種類のテレビ番組のテレビ番組詳細情報（すなわち、出演者や内容等の情報）がテレビ番組ごとに記憶されている。
【００５０】
またハードディスクドライブ５４には、テレビ番組お勧め情報記憶領域が設けられており、このテレビ番組お勧め情報記憶領域に対しては、これから放送される特定のテレビ番組の視聴をユーザに対して勧めるためのテレビ番組お勧め情報が記憶されている。
【００５１】
さらにハードディスクドライブ５４には、広告画像記憶領域が設けられており、この広告画像記憶領域に対しては、例えば特定商品の販売を促進するための種々の広告画像が広告画像データとして予め記憶されている。
【００５２】
そしてこの広告画像記憶領域に対しては、例えば情報提供サーバ８の運営業者等によって随時新たな広告の広告画像データがアップデートされるようになされている。
【００５３】
ところで、ネットワークインターフェース５５に対しては、情報提供サーバ８固有のＩＰアドレスが予め登録されている。
【００５４】
従って情報提供サーバ８は、かかる情報提供サーバ８固有のＩＰアドレスがインターネット７を介して参照されることにより、パーソナルビデオレコーダ２からアクセスされ得るようになされている。
【００５５】
（５）パーソナルビデオレコーダ画面表示処理
パーソナルビデオレコーダ操作システム１においては、ユーザによりリモートコントローラ３を介してパーソナルビデオレコーダ２が操作される際、パーソナルビデオレコーダ２及びリモートコントローラ３によってパーソナルビデオレコーダ画面表示処理を実行することにより、種々のパーソナルビデオレコーダ画面をリモートコントローラ３の表示部１１に適宜表示するようになされている。
【００５６】
（５−１）新規録画テレビ番組確認操作時におけるパーソナルビデオレコーダ画面表示処理
例えば、パーソナルビデオレコーダ２が自動録画機能等によってこれまで録画した複数種類のテレビ番組のうち、本日新たに録画したテレビ番組（以下、これを新規録画テレビ番組と呼ぶ）のタイトルを確認するための操作（以下、これを新規録画テレビ番組確認操作と呼ぶ）がユーザによりリモートコントローラ３を介して行われる場合にも、パーソナルビデオレコーダ２及びリモートコントローラ３によってパーソナルビデオレコーダ画面表示処理を実行するようになされている。
【００５７】
ここでは最初に、新規録画テレビ番組確認操作時におけるパーソナルビデオレコーダ画面表示処理について、図８に示すシーケンスチャートを用いて以下に説明する。
【００５８】
ステップＳＰ１においてリモートコントローラ３のＣＰＵ２０は、例えばユーザによりメニューキー１５が押下操作されたことを認識すると、ブラウザプログラムに従って、初期メニュー画面（後述する）のＷｅｂページを送信するようにパーソナルビデオレコーダ２に対して要求し、次のステップＳＰ２へ移る。
【００５９】
実際上、このときリモートコントローラ３のＣＰＵ２０は、図９（Ａ）に示すように、初期メニュー画面のＷｅｂページに対応するＨＴＭＬソースコードの送信を要求する旨（図９（Ａ）において破線で示す）、パーソナルビデオレコーダ２のＩＰアドレス（図９（Ａ）において一点鎖線で示す）及びリモートコントローラ３において起動されているブラウザプログラムの識別情報（図９（Ａ）において二重線で示す）等が記されたリクエストメッセージＭＳＧ１を生成してこれを送信することにより、パーソナルビデオレコーダ２に対して初期メニュー画面のＷｅｂページの送信を要求するようになされている。
【００６０】
ステップＳＰ２においてパーソナルビデオレコーダ２のＣＰＵ３０は、初期メニュー画面のＷｅｂページを送信するように要求されると、サーバプログラムに従って、ハードディスクドライブ３４のパーソナルビデオレコーダ画面記憶領域から初期メニュー画面のＷｅｂページを読み出した後これをリモートコントローラ３に対して送信し、次のステップＳＰ３へ移る。
【００６１】
実際上、このときパーソナルビデオレコーダ２のＣＰＵ３０は、初期メニュー画面のＷｅｂページの送信として、図９（Ｂ）に示すように、ハードディスクドライブ３４のパーソナルビデオレコーダ画面記憶領域から読み出した初期メニュー画面のＷｅｂページに対応するＨＴＭＬソースコードＳＲＣ１に対してヘッダ情報ＨＩＮＦを付加することによりレスポンスメッセージＭＳＧ２を生成してこれをリモートコントローラ３に対して送信し、この後、当該ＨＴＭＬソースコードＳＲＣ１に付随する画像データ等も送信するようになされている。
【００６２】
ステップＳＰ３においてリモートコントローラ３のＣＰＵ２０は、パーソナルビデオレコーダ２から初期メニュー画面のＷｅｂページを受信すると、これに基づいて例えば図１０に示すような初期メニュー画面７０を表示部１１に表示し、次のステップＳＰ４へ移る。
【００６３】
ここで初期メニュー画面７０には、複数の選択項目がリスト表示されており、これら複数の選択項目のそれぞれはカーソル７１によって選択されるようになされている。
【００６４】
ステップＳＰ４においてリモートコントローラ３のＣＰＵ２０は、例えばユーザによって十字キー１３を介してカーソル７１が操作されることにより、初期メニュー画面７０における選択項目「新規情報」が選択された後、この状態で決定キー１４が押下されたことを認識すると、選択項目「新規情報」が選択決定されたことをパーソナルビデオレコーダ２に対して伝達し、次のステップＳＰ５へ移る。
【００６５】
ステップＳＰ５においてパーソナルビデオレコーダ２のＣＰＵ３０は、選択項目「新規情報」が選択決定されたことを認識すると、サーバプログラムに従って、ハードディスクドライブ３４のパーソナルビデオレコーダ画面記憶領域から新規情報メニュー画面（後述する）のＷｅｂページを読み出した後これをリモートコントローラ３に対して送信し、次のステップＳＰ６へ移る。
【００６６】
ステップＳＰ６においてリモートコントローラ３のＣＰＵ２０は、パーソナルビデオレコーダ２から新規情報メニュー画面のＷｅｂページを受信すると、これに基づいて例えば図１０に示すような、３つの選択項目がリスト表示されており当該３つの選択項目のそれぞれがカーソル７１によって選択されるようになされた新規情報メニュー画面８０を表示部１１に表示し、次のステップＳＰ７へ移る。
【００６７】
ステップＳＰ７においてリモートコントローラ３のＣＰＵ２０は、例えばユーザによって十字キー１３を介してカーソル７１が操作されることにより、新規情報メニュー画面８０における選択項目「新規録画テレビ番組」が選択された後、この状態で決定キー１４が押下されたことを認識すると、選択項目「新規録画テレビ番組」が選択決定されたことをパーソナルビデオレコーダ２に対して伝達し、次のステップＳＰ８へ移る
【００６８】
ステップＳＰ８においてパーソナルビデオレコーダ２のＣＰＵ３０は、選択項目「新規録画テレビ番組」が選択決定されたことを認識すると、基本機能提供プログラムに従ってハードディスクドライブ３４を参照することにより、例えば本日付のタイムスタンプを有する複数種類のテレビ番組のテレビ番組データを認識した後、当該認識した複数種類のテレビ番組データのそれぞれのデータ名に基づいて、本日新たに録画した複数種類のテレビ番組（すなわち、新規録画テレビ番組）のタイトルが羅列されてなる新規録画テレビ番組タイトル情報を生成する。
【００６９】
そしてパーソナルビデオレコーダ２のＣＰＵ３０は操作画面生成プログラムに従い、かかる新規録画テレビ番組タイトル情報に基づいて新規録画テレビ番組タイトル一覧画面（後述する）のＷｅｂページを生成した後、これをリモートコントローラ３に対して送信し、次のステップＳＰ９へ移る。
【００７０】
ステップＳＰ９においてリモートコントローラ３のＣＰＵ２０は、パーソナルビデオレコーダ２から新規録画テレビ番組タイトル一覧画面のＷｅｂページを受信すると、これに基づいて例えば図１１に示すような、複数種類の新規録画テレビ番組のタイトルが羅列されてなる新規録画テレビ番組タイトル一覧画面９０を表示部１１に表示することにより、本日新たに録画したテレビ番組のタイトルをユーザに確認させた後、次のステップＳＰ１０に移って新規録画テレビ番組確認操作時におけるパーソナルビデオレコーダ画面表示処理を終了する。
【００７１】
このようにパーソナルビデオレコーダ操作システム１においては、パーソナルビデオレコーダ２に対して新規録画テレビ番組確認操作が行われる際、当該新規録画テレビ番組確認操作に応じた種々のパーソナルビデオレコーダ画面、すなわち初期メニュー画面７０、新規情報メニュー画面８０及び新規録画テレビ番組タイトル一覧画面９０をリモートコントローラ３の表示部１１に順次表示するようになされている。
【００７２】
（５−２）新着電子メール内容確認操作時におけるパーソナルビデオレコーダ画面表示処理
また、パーソナルビデオレコーダ２によって新たに受信した電子メール（以下、これを新着電子メールと呼ぶ）の内容を確認するための操作（以下、これを新着電子メール内容確認操作と呼ぶ）がユーザによりリモートコントローラ３を介して行われる場合にも、パーソナルビデオレコーダ２及びリモートコントローラ３によってパーソナルビデオレコーダ画面表示処理を実行するようになされている。
【００７３】
ここでは、この新着電子メール内容確認操作時におけるパーソナルビデオレコーダ画面表示処理について、図１２及び図１３（図８との対応部分に同一符号を付す）に示すシーケンスチャートを用いて以下に説明する。
【００７４】
ステップＳＰ２１においてパーソナルビデオレコーダ２のＣＰＵ３０は、基本機能提供プログラムに従って、図示しないメールサーバからパーソナルビデオレコーダ２宛ての電子メールを受信して電子メール受信処理を終了すると、新着電子メールが存在することをリモートコントローラ３に対して伝達し、次のステップＳＰ２２へ移る。
【００７５】
ステップＳＰ２２においてリモートコントローラ３のＣＰＵ２０は、新着電子メールが存在することを認識すると、電子メール受信通知プログラムに従って、ＬＥＤ１２を発光させると共に、ＲＯＭ３２に格納された電子メール受信通知音楽データに基づいて電子メール受信通知音楽をスピーカ２７から出力し、次のステップＳＰ２３に移る。
【００７６】
このようにパーソナルビデオレコーダ操作システム１においては、パーソナルビデオレコーダ２が電子メールを受信して電子メール受信処理を終了した際、リモートコントローラ３のＬＥＤ１２を発光させると共に、電子メール受信通知音楽をスピーカ２７から出力するようにしたことにより、新着電子メールが存在することをユーザに対して確実に通知し得るようになされている。
【００７７】
ステップＳＰ２３においてリモートコントローラ３のＣＰＵ２０は、例えば新着電子メールの存在を認識したユーザによってメニューキー１５が押下操作されたことを認識すると、ブラウザプログラムに従って初期メニュー画面７０のＷｅｂページを送信するようにパーソナルビデオレコーダ２に対して要求し、次のステップＳＰ２へ移る。
【００７８】
すなわち、ステップＳＰ２においてパーソナルビデオレコーダ２のＣＰＵ３０は、初期メニュー画面７０のＷｅｂページをリモートコントローラ３に対して送信し、ステップＳＰ３においてリモートコントローラ３のＣＰＵ２０は、初期メニュー画面７０（図１０）を表示部１１に表示し、ステップＳＰ４においてリモートコントローラ３のＣＰＵ２０は、例えばユーザによって選択項目「新規情報」が選択決定されると、この旨をパーソナルビデオレコーダ２に対して伝達し、ステップＳＰ５においてパーソナルビデオレコーダ２のＣＰＵ３０は、新規情報メニュー画面８０のＷｅｂページをリモートコントローラ３に対して送信し、ステップＳＰ６においてリモートコントローラ３のＣＰＵ２０は、新規情報メニュー画面８０（図１０）を表示部１１に表示し、次のステップＳＰ２４へ移る。
【００７９】
ステップＳＰ２４においてリモートコントローラ３のＣＰＵ２０は、例えばユーザによって十字キー１３を介してカーソル７１が操作されることにより、新規情報メニュー画面８０における選択項目「新着電子メール」が選択された後、この状態で決定キー１４が押下されたことを認識すると、選択項目「新着電子メール」が選択決定されたことをパーソナルビデオレコーダ２に対して伝達し、次のステップＳＰ２５へ移る。
【００８０】
ステップＳＰ２５においてパーソナルビデオレコーダ２のＣＰＵ３０は、選択項目「新着電子メール」が選択決定されたことを認識すると、基本機能提供プログラムに従って、パーソナルビデオレコーダ２に存在する全ての新着電子メールの件名を認識した後、操作画面生成プログラムに従い、当該認識した全ての新着電子メールの件名に基づいて新着電子メール件名一覧画面（後述する）のＷｅｂページを生成してこれをリモートコントローラ３に対して送信し、次のステップＳＰ２６へ移る。
【００８１】
ステップＳＰ２６においてリモートコントローラ３のＣＰＵ２０は、パーソナルビデオレコーダ２から新着電子メール件名一覧画面のＷｅｂページを受信すると、これに基づいて図１１に示すような新着電子メール件名一覧画面１００を表示部１１に表示し、次のステップＳＰ２７（図１３）へ移る。
【００８２】
ここで新着電子メールタイトル一覧画面１００には、パーソナルビデオレコーダ２に存在する全ての新着電子メールの件名がリスト表示されており、これら複数の新着電子メールの件名のそれぞれはカーソル７１によって選択されるようになされている。
【００８３】
ステップＳＰ２７においてリモートコントローラ３のＣＰＵ２０は、例えばユーザによって十字キー１３を介してカーソル７１が操作されることにより、新着電子メールタイトル一覧画面１００における新着電子メールの件名「はじめまして」が選択された後、この状態で決定キー１４が押下されたことを認識すると、新着電子メールの件名「はじめまして」が選択決定されたことをパーソナルビデオレコーダ２に対して伝達し、次のステップＳＰ２８へ移る。
【００８４】
ステップＳＰ２８においてパーソナルビデオレコーダ２のＣＰＵ３０は、新着電子メールの件名「はじめまして」が選択決定されたことを認識すると、基本機能提供プログラムに従い、電子メールの件名「はじめまして」に対応する電子メールの内容の情報（以下、これを電子メール内容情報と呼ぶ）を取得した後、操作画面生成プログラムに従い、当該電子メール内容情報に基づいて新着電子メール内容確認画面（後述する）のＷｅｂページを生成して、これをリモートコントローラ３に対して送信し、次のステップＳＰ２９へ移る。
【００８５】
ステップＳＰ２９においてリモートコントローラ３のＣＰＵ２０は、パーソナルビデオレコーダ２から新着電子メール内容確認画面のＷｅｂページを受信すると、これに基づいて例えば図１１に示すような新着電子メール内容確認画面１１０を表示部１１に表示することにより、新着電子メールの件名「はじめまして」に対応する新着電子メールの内容をユーザに対して確認させ、次のステップＳＰ３０へ移って新着電子メール内容確認操作時におけるパーソナルビデオレコーダ画面表示処理を終了する。
【００８６】
このようにパーソナルビデオレコーダ操作システム１においては、パーソナルビデオレコーダ２に対して新着電子メール内容確認操作が行われる際、当該新着電子メール内容確認操作に応じた種々のパーソナルビデオレコーダ画面、すなわち初期メニュー画面７０、新規情報メニュー画面８０、新着電子メール件名一覧画面１００及び新着電子メール内容確認画面１１０をリモートコントローラ３の表示部１１に順次表示するようになされている。
【００８７】
（５−３）お勧め情報確認操作時におけるパーソナルビデオレコーダ画面表示処理
さらに、テレビ番組お勧め情報の内容を確認するための操作（以下、これをお勧め情報確認操作と呼ぶ）がユーザによりリモートコントローラ３を介して行われる場合にも、パーソナルビデオレコーダ２及びリモートコントローラ３によってパーソナルビデオレコーダ画面表示処理を実行するようになされている。
【００８８】
このとき情報提供サーバ８は、かかるテレビ番組お勧め情報をパーソナルビデオレコーダ２に対して提供する処理を実行するようになされている。
【００８９】
ここでは、この情報提供サーバ８における処理と合わせて、お勧め情報確認操作時におけるパーソナルビデオレコーダ画面表示処理を、図１４、図１５及び図１６（図８との対応部分に同一符号を付す）に示すシーケンスチャートを用いて以下に説明する。
【００９０】
すなわち、ステップＳＰ１においてリモートコントローラ３のＣＰＵ２０は、例えばユーザによってメニューキー１５が押下操作されたことを認識すると、初期メニュー画面７０のＷｅｂページを送信するようにパーソナルビデオレコーダ２に対して要求し、ステップＳＰ２においてパーソナルビデオレコーダ２のＣＰＵ３０は、初期メニュー画面７０のＷｅｂページをリモートコントローラ３に対して送信し、ステップＳＰ３においてリモートコントローラ３のＣＰＵ２０は、初期メニュー画面７０（図１０）を表示部１１に表示し、ステップＳＰ４においてリモートコントローラ３のＣＰＵ２０は、例えばユーザによって選択項目「新規情報」が選択決定されると、この旨をパーソナルビデオレコーダ２に対して伝達し、ステップＳＰ５においてパーソナルビデオレコーダ２のＣＰＵ３０は、新規情報メニュー画面８０のＷｅｂページをリモートコントローラ３に対して送信し、ステップＳＰ６においてリモートコントローラ３のＣＰＵ２０は、新規情報メニュー画面８０（図１０）を表示部１１に表示し、次のステップＳＰ３１（図１５）へ移る。
【００９１】
ステップＳＰ３１においてリモートコントローラ３のＣＰＵ２０は、例えばユーザによって十字キー１３を介してカーソル７１が操作されることにより、新規情報メニュー画面８０における選択項目「お勧め情報」が選択された後、この状態で決定キー１４が押下されたことを認識すると、選択項目「お勧め情報」が選択決定されたことをパーソナルビデオレコーダ２に対して伝達し、次のステップＳＰ３２へ移る。
【００９２】
ステップＳＰ３２においてパーソナルビデオレコーダ２のＣＰＵ３０は、選択項目「お勧め情報」が選択決定されたことを認識すると、テレビ番組お勧め情報を送信するように情報提供サーバ８に対して要求し、次のステップＳＰ３３へ移る。
【００９３】
ステップＳＰ３３において情報提供サーバ８のＣＰＵ５０は、パーソナルビデオレコーダ２からテレビ番組お勧め情報を送信するように要求を受けると、情報提供プログラムに従って、ハードディスクドライブ５４のテレビ番組お勧め情報記憶領域からテレビ番組お勧め情報を読み出した後これをパーソナルビデオレコーダ２に対して送信し、次のステップＳＰ３４へ移る。
【００９４】
ステップＳＰ３４においてパーソナルビデオレコーダ２のＣＰＵ３０は、情報提供サーバ８からテレビ番組お勧め情報を受信すると、操作画面生成プログラムに従い、当該テレビ番組お勧め情報に基づいてお勧め情報画面（後述する）のＷｅｂページを生成し、これをリモートコントローラ３に対し送信して、次のステップＳＰ３５へ移る。
【００９５】
ステップＳＰ３５においてリモートコントローラ３のＣＰＵ２０は、パーソナルビデオレコーダ２からお勧め情報画面のＷｅｂページを受信すると、これに基づいて例えば図１１に示すようなお勧め情報画面１２０を表示部１１に表示し、次のステップＳＰ３６へ移る。
【００９６】
ここでお勧め情報画面１２０には、例えば情報提供サーバ８の運営業者等によって推薦された複数種類のテレビ番組のタイトルがリスト表示されており、これら複数種類のテレビ番組のタイトルのそれぞれはカーソル７１によって選択されるようになされている。
【００９７】
このようにパーソナルビデオレコーダ操作システム１においては、テレビ番組お勧め情報の内容を確認するためのお勧め情報確認操作がパーソナルビデオレコーダ２に対して行われる際、当該お勧め情報確認操作に応じた種々のパーソナルビデオレコーダ画面、すなわち初期メニュー画面７０、新規情報メニュー画面８０及びお勧め情報画面１２０をリモートコントローラ３の表示部１１に順次表示するようになされている。
【００９８】
ステップＳＰ３６においてリモートコントローラ３のＣＰＵ２０は、例えばユーザによって十字キー１３を介してカーソル７１が操作されることにより、お勧め情報画面１２０におけるテレビ番組のタイトル「Ｎｅｗｓ　Ｓｔｕｄｉｏ」が選択された後、この状態で決定キー１４が押下されたことを認識すると、テレビ番組のタイトル「Ｎｅｗｓ　Ｓｔｕｄｉｏ」が選択決定されたことをパーソナルビデオレコーダ２に対して伝達し、次のステップＳＰ３７（図１６）へ移る。
【００９９】
ところで、このお勧め情報画面１２０に対応するＨＴＭＬソースコードの内容は、以下のとおりである。
【０１００】
＜ＨＴＭＬ＞＜ＨＥＡＤ＞＜ＴＩＴＬＥ＞お勧め情報＜／ＴＩＴＬＥ＞＜／ＨＥＡＤ＞
＜ＢＯＤＹ＞＜Ｐ＞お勧めするテレビ番組は＜ＢＲ＞
以下の通りです＜ＢＲ＞
＜Ａ　ＨＲＥＦ＝”少林バスケ−Ｃｏｎｔｒｏｌ．ｈｔｍｌ”　ａｃｃｅｓｓｋｅｙ＝”１”　Ａｎｉｍａｔｉｏｎ−ｔｙｐｅ＝”ＭｏｖｅＴｏＴｏｐ”＞　１）　少林バスケ
＜Ａ　ＨＲＥＦ＝”阪神の星−Ｃｏｎｔｒｏｌ．ｈｔｍｌ”　ａｃｃｅｓｓｋｅｙ＝”２”　Ａｎｉｍａｔｉｏｎ−ｔｙｐｅ＝”ＭｏｖｅＴｏＴｏｐ”＞　２）　阪神の星
＜Ａ　ＨＲＥＦ＝”猫神家の一族　−Ｃｏｎｔｒｏｌ．ｈｔｍｌ”　ａｃｃｅｓｓｋｅｙ＝”３”　Ａｎｉｍａｔｉｏｎ−ｔｙｐｅ＝”ＭｏｖｅＴｏＴｏｐ”＞　３）　猫神家の一族
＜Ａ　ＨＲＥＦ＝”Ｎｅｗｓ　Ｓｔｕｄｉｏ−Ｃｏｎｔｒｏｌ．ｈｔｍｌ”　ａｃｃｅｓｓｋｅｙ＝”４”　Ａｎｉｍａｔｉｏｎ−ｔｙｐｅ＝”ＭｏｖｅＴｏＴｏｐ”＞　４）　Ｎｅｗｓ　Ｓｔｕｄｉｏ
＜／ＢＯＤＹ＞
＜／ＨＴＭＬ＞
【０１０１】
そして、このお勧め情報画面１２０に対応するＨＴＭＬソースコードＳＲＣ２（図１７）においては、テレビ番組のタイトル「Ｎｅｗｓ　Ｓｔｕｄｉｏ」に対応するタグ「＜Ａ＞」の内部に、アニメーション表示の形態を規定するための属性項目「Ａｎｉｍａｔｉｏｎ−ｔｙｐｅ」（図１７において破線で示す）が記述されており、本実施の形態の場合、この属性項目「Ａｎｉｍａｔｉｏｎ−ｔｙｐｅ」に対しては、アニメーション表示対象を上側に移動させることを意味する属性値「ＭｏｖｅＴｏＴｏｐ」が設定されている。
【０１０２】
従ってリモートコントローラ３のＣＰＵ２０は、上述のステップＳＰ３６においてテレビ番組のタイトル「Ｎｅｗｓ　Ｓｔｕｄｉｏ」が選択決定されたことを認識した際、アニメーション表示処理として、図１８（Ａ）に示すように当該選択決定されたテレビ番組のタイトル「Ｎｅｗｓ　Ｓｔｕｄｉｏ」を除く全てのテレビ番組のタイトルの表示を中止した後、テレビ番組のタイトル「Ｎｅｗｓ　Ｓｔｕｄｉｏ」をお勧め情報画面１２０の上側方向に徐々に移動させて、図１８（Ｂ）に示すようにテレビ番組のタイトル「Ｎｅｗｓ　Ｓｔｕｄｉｏ」をお勧め情報画面１２０の上部に表示することにより、ユーザが選択決定したテレビ番組のタイトル（つまり、「Ｎｅｗｓ　Ｓｔｕｄｉｏ」）を当該ユーザ自身に対して確実に確認させ得るようになされている。
【０１０３】
ステップＳＰ３７においてパーソナルビデオレコーダ２のＣＰＵ３０は、テレビ番組のタイトル「Ｎｅｗｓ　Ｓｔｕｄｉｏ」が選択決定されたことを認識すると、操作画面生成プログラムに従って、録画予約設定画面（後述する）のＷｅｂページを生成して、これをリモートコントローラ３に対して送信し、ステップＳＰ３８へ移る。
【０１０４】
ステップＳＰ３８においてリモートコントローラ３のＣＰＵ２０は、パーソナルビデオレコーダ２から録画予約設定画面のＷｅｂページを受信すると、これに基づいて例えば図１９（Ａ）に示すような録画予約設定画面１３０を表示部１１に表示し、次のステップＳＰ３９へ移る。
【０１０５】
ここで録画予約設定画面１３０には、「予約する」ボタン１３１と「予約しない」ボタン１３２とが表示されており、ユーザによって十字キー１３を介して選択操作が行われると、当該選択操作に応じて「予約する」ボタン１３１又は「予約しない」ボタン１３２の何れかが網掛表示されるようになされている。
【０１０６】
また、録画予約設定画面１３０に対応するＨＴＭＬソースコードの内容は、以下の通りである。
【０１０７】
＜ＨＴＭＬ＞＜ＨＥＡＤ＞＜ＴＩＴＬＥ＞録画予約設定＜／ＴＩＴＬＥ＞＜／ＨＥＡＤ＞
＜ＢＯＤＹ＞＜Ｐ＞テレビ番組「Ｎｅｗｓ　Ｓｔｕｄｉｏ」＜ＢＲ＞の録画を＜ＢＲ＞
＜Ａ　ＨＲＥＦ＝”予約する−Ｃｏｎｔｒｏｌ．ｈｔｍｌ”　ａｃｃｅｓｓｋｅｙ＝”１”　ｍｏｄｅ＝”ｃｏｎｔｒｏｌ”＞＜ｉｍｇ＝”Ｙｏｙａｋｕｓｕｒｕ．ｇｉｆ”＞＜／Ａ＞
＜Ａ　ＨＲＥＦ＝”予約しない−Ｃｏｎｔｒｏｌ．ｈｔｍｌ”　ａｃｃｅｓｓｋｅｙ＝”２”　ｍｏｄｅ＝”ｃｏｎｔｒｏｌ”＞＜ｉｍｇ＝”Ｙｏｙａｋｕｓｈｉｎａｉ．　ｇｉｆ”＞＜／Ａ＞
＜／ＢＯＤＹ＞
＜／ＨＴＭＬ＞
【０１０８】
この録画予約設定画面１３０に対応するＨＴＭＬソースコードＳＲＣ３（図１９（Ｂ））においては、「予約する」ボタン１３１及び「予約しない」ボタン１３２のそれぞれに対応するタグ「＜Ａ＞」の内部に、属性項目「ｍｏｄｅ」（図１９（Ｂ）において破線で示す）が記述されており、本実施の形態の場合、この属性項目「ｍｏｄｅ」に対して、属性値「ｃｏｎｔｒｏｌ」が設定されている。
【０１０９】
ステップＳＰ３９においてリモートコントローラ３のＣＰＵ２０は、例えばユーザによって十字キー１３を介して「予約する」ボタン１３１が選択された後、この状態で決定キー１４が押下されたことを認識すると、ＨＴＭＬソースコードＳＲＣ３における当該「予約する」ボタン１３１に対応するタグ「＜Ａ＞」の内部には、上述のように属性項目「ｍｏｄｅ」に対して属性値「ｃｏｎｔｒｏｌ」が設定されていることにより、表示部１１に現在表示中の録画予約設定画面１３０を継続して表示しつつ、ＨＴＴＰ（Ｈｙｐｅｒ　Ｔｅｘｔ　Ｔｒａｎｓｆｅｒ　Ｐｒｏｔｏｃｏｌ）ヘッダのみを送信することによって属性項目「ＨＲＥＦ」（図１９（Ｂ）において一点鎖線で示す）に対して設定された属性値「予約する−Ｃｏｎｔｒｏｌ．ｈｔｍｌ」をパーソナルビデオレコーダ２に対して伝達し、次のステップＳＰ４０へ移る。
【０１１０】
このようにＨＴＭＬソースコードＳＲＣ３において、タグ「＜Ａ＞」の内部に属性項目「ｍｏｄｅ」が記述され、当該属性項目「ｍｏｄｅ」に対して「ｃｏｎｔｒｏｌ」が設定されていると、ＨＴＴＰヘッダのみを送信することにより、当該タグ「＜Ａ＞」の内部における属性項目「ＨＲＥＦ」に対して設定された属性値「予約する−Ｃｏｎｔｒｏｌ．ｈｔｍｌ」をパーソナルビデオレコーダ２に対して伝達するようになされている。
【０１１１】
ステップＳＰ４０においてパーソナルビデオレコーダ２のＣＰＵ２０は、リモートコントローラ３からＨＴＴＰヘッダを受信することにより属性値「予約する−Ｃｏｎｔｒｏｌ．ｈｔｍｌ」を認識すると、これをテレビ番組「Ｎｅｗｓ　Ｓｔｕｄｉｏ」の録画予約命令と判断し、基本機能提供プログラムに従って、テレビ番組「Ｎｅｗｓ　Ｓｔｕｄｉｏ」を録画予約する録画予約処理を実行し、次のステップＳＰ４１に移ってお勧め情報確認操作時におけるパーソナルビデオレコーダ画面表示処理を終了する。
【０１１２】
因みに、ステップＳＰ３９においてリモートコントローラ３のＣＰＵ２０は、例えばユーザによって十字キー１３を介して「予約しない」ボタン１３２が選択された後、この状態で決定キー１４が押下されたことを認識すると、ＨＴＭＬソースコードＳＲＣ３における当該「予約しない」ボタン１３２に対応するタグ「＜Ａ＞」の内部には、上述のように属性項目「ｍｏｄｅ」に対して属性値「ｃｏｎｔｒｏｌ」が設定されていることにより、表示部１１に現在表示中の録画予約設定画面１３０を継続して表示しつつ、ＨＴＴＰヘッダのみを送信することによって属性項目「ＨＲＥＦ」（図１９（Ｂ）において二重線で示す）に対して設定された文字列「予約しない−Ｃｏｎｔｒｏｌ．ｈｔｍｌ」をパーソナルビデオレコーダ２に対して伝達する。
【０１１３】
そしてパーソナルビデオレコーダ２のＣＰＵ２０は、リモートコントローラ３からＨＴＴＰヘッダを受信することにより文字列「予約しない−Ｃｏｎｔｒｏｌ．ｈｔｍｌ」を認識すると、これをテレビ番組「Ｎｅｗｓ　Ｓｔｕｄｉｏ」の録画予約中止命令と判断し、テレビ番組「Ｎｅｗｓ　Ｓｔｕｄｉｏ」を録画予約する録画予約処理を開始しない。
【０１１４】
このようにパーソナルビデオレコーダ操作システム１においては、お勧め情報画面１２０を介してお勧めされたテレビ番組（この場合、テレビ番組「Ｎｅｗｓ　Ｓｔｕｄｉｏ」）の録画予約をパーソナルビデオレコーダ２に対して設定するための録画予約設定操作が行われると、当該録画予約設定操作に応じたパーソナルビデオレコーダ画面、すなわち録画予約設定画面１３０をリモートコントローラ３の表示部１１に表示するようになされている。
【０１１５】
（５−４）録画予約済テレビ番組確認操作時におけるパーソナルビデオレコーダ画面表示処理
さらに、パーソナルビデオレコーダ２に対して録画予約が既に設定されたテレビ番組のタイトルを確認するための操作（以下、これを録画予約済テレビ番組確認操作と呼ぶ）がユーザによりリモートコントローラ３を介して行われる場合にも、パーソナルビデオレコーダ２及びリモートコントローラ３によってパーソナルビデオレコーダ画面表示処理を実行するようになされている。
【０１１６】
ここでは、この録画予約済テレビ番組確認操作時におけるパーソナルビデオレコーダ画面表示処理について、図２０（図８との対応部分に同一符号を付す）に示すシーケンスチャートを用いて以下に説明する。
【０１１７】
まず、ステップＳＰ１においてリモートコントローラ３のＣＰＵ２０は、例えばユーザによってメニューキー１５が押下操作されたことを認識すると、初期メニュー画面７０のＷｅｂページを送信するようにパーソナルビデオレコーダ２に対して要求し、ステップＳＰ２においてパーソナルビデオレコーダ２のＣＰＵ３０は、初期メニュー画面７０のＷｅｂページをリモートコントローラ３に対して送信し、ステップＳＰ３においてリモートコントローラ３のＣＰＵ２０は、初期メニュー画面７０（図１０）を表示部１１に表示し、次のステップＳＰ５１へ移る。
【０１１８】
ステップＳＰ５１においてリモートコントローラ３のＣＰＵ２０は、例えばユーザによって十字キー１３を介してカーソル７１が操作されることにより、初期メニュー画面７０における選択項目「テレビ番組リスト」が選択された後、この状態で決定キー１４が押下されたことを認識すると、選択項目「テレビ番組リスト」が選択決定されたことをパーソナルビデオレコーダ２に対して伝達し、次のステップＳＰ５２へ移る。
【０１１９】
ステップＳＰ５２においてパーソナルビデオレコーダ２のＣＰＵ３０は、選択項目「テレビ番組リスト」が選択決定されたことを認識すると、サーバプログラムに従って、ハードディスクドライブ３４のパーソナルビデオレコーダ画面記憶領域からテレビ番組リストメニュー画面（後述する）のＷｅｂページを読み出した後これをリモートコントローラ３に対して送信し、次のステップＳＰ５３へ移る。
【０１２０】
ステップＳＰ５３においてリモートコントローラ３のＣＰＵ２０は、パーソナルビデオレコーダ２からテレビ番組リストメニュー画面のＷｅｂページを受信すると、これに基づいて図１０に示すように、２つの選択項目がリスト表示されており当該２つの選択項目のそれぞれがカーソル７１によって選択されるようになされたテレビ番組リストメニュー画面１４０を表示部１１に表示し、次のステップＳＰ５４へ移る。
【０１２１】
ステップＳＰ５４においてリモートコントローラ３のＣＰＵ２０は、例えばユーザによって十字キー１３を介してカーソル７１が操作されることにより、テレビ番組リストメニュー画面１４０における選択項目「録画予約済テレビ番組リスト」が選択された後、この状態で決定キー１４が押下されたことを認識すると、選択項目「録画予約済テレビ番組リスト」が選択決定されたことをパーソナルビデオレコーダ２に対して伝達し、次のステップＳＰ５５へ移る。
【０１２２】
ステップＳＰ５５においてパーソナルビデオレコーダ２のＣＰＵ３０は、選択項目「録画予約済テレビ番組リスト」が選択決定されたことを認識すると、基本機能提供プログラムに従い、パーソナルビデオレコーダ２に対して録画予約が設定された全てのテレビ番組のタイトルを認識した後、これに基づいて録画予約済テレビ番組タイトル一覧画面（後述する）のＷｅｂページを生成し、これをリモートコントローラ３に対して送信して、ステップＳＰ５６へ移る。
【０１２３】
ステップＳＰ５６においてリモートコントローラ３のＣＰＵ２０は、パーソナルビデオレコーダ２から録画予約済テレビ番組タイトル一覧画面のＷｅｂページを受信すると、これに基づいて図２１に示すような録画予約済テレビ番組タイトル一覧画面１５０を表示部１１に表示し、次のステップＳＰ５７へ移って録画予約済テレビ番組確認操作時におけるパーソナルビデオレコーダ画面表示処理を終了する。
【０１２４】
ここで録画予約済テレビ番組タイトル一覧画面１５０には、パーソナルビデオレコーダ２に対して録画予約が設定された複数種類のテレビ番組のタイトルがリスト表示されている。従ってユーザは、リモートコントローラ３の表示部１１を介してこの録画予約済テレビ番組タイトル一覧画面１５０を視認することにより、録画予約が設定済みであるテレビ番組のタイトルを確認し得る。
【０１２５】
このようにパーソナルビデオレコーダ操作システム１においては、パーソナルビデオレコーダ２に対して録画予約済テレビ番組確認操作が行われる際、当該録画予約済テレビ番組確認操作に応じた種々のパーソナルビデオレコーダ画面、すなわち初期メニュー画面７０、テレビ番組リストメニュー画面１４０及び録画予約済テレビ番組タイトル一覧画面１５０をリモートコントローラ３の表示部１１に順次表示するようになされている。
【０１２６】
（５−５）録画済テレビ番組確認操作時におけるパーソナルビデオレコーダ画面表示処理
さらに、パーソナルビデオレコーダ２によってこれまで録画した録画済みのテレビ番組のタイトルを確認するための操作（以下、これを録画済テレビ番組確認操作と呼ぶ）がユーザによりリモートコントローラ３を介して行われる場合にも、パーソナルビデオレコーダ２及びリモートコントローラ３によってパーソナルビデオレコーダ画面表示処理を実行するようになされている。
【０１２７】
ここでは、この録画済テレビ番組確認操作時におけるパーソナルビデオレコーダ画面表示処理について、図２２及び図２３（図８及び図２０との対応部分に同一符号を付す）に示すシーケンスチャートを用いて以下に説明する。
【０１２８】
まず、ステップＳＰ１においてリモートコントローラ３のＣＰＵ２０は、例えばユーザによってメニューキー１５が押下操作されたことを認識すると、初期メニュー画面７０のＷｅｂページを送信するようにパーソナルビデオレコーダ２に対して要求し、ステップＳＰ２においてパーソナルビデオレコーダ２のＣＰＵ３０は、初期メニュー画面７０のＷｅｂページをリモートコントローラ３に対して送信し、ステップＳＰ３においてリモートコントローラ３のＣＰＵ２０は、初期メニュー画面７０（図１０）を表示部１１に表示し、次のステップＳＰ５１へ移る。
【０１２９】
そして、ステップＳＰ５１においてリモートコントローラ３のＣＰＵ２０は、例えばユーザによって初期メニュー画面７０における選択項目「テレビ番組リスト」が選択決定されたことを認識すると、この旨をパーソナルビデオレコーダ２に対して伝達し、ステップＳＰ５２においてパーソナルビデオレコーダ２のＣＰＵ３０は、テレビ番組リストメニュー画面１４０のＷｅｂページをリモートコントローラ３に対して送信し、ステップＳＰ５３においてリモートコントローラ３のＣＰＵ２０は、テレビ番組リストメニュー画面１４０（図１０）を表示部１１に表示し、次のステップＳＰ６１へ移る。
【０１３０】
ステップＳＰ６１においてリモートコントローラ３のＣＰＵ２０は、例えばユーザによって十字キー１３を介してカーソル７１が操作されることにより、テレビ番組リストメニュー画面１４０における選択項目「録画済テレビ番組リスト」が選択された後、この状態で決定キー１４が押下されたことを認識すると、選択項目「録画済テレビ番組リスト」が選択決定されたことをパーソナルビデオレコーダ２に対して伝達し、次のステップＳＰ６２へ移る。
【０１３１】
ステップＳＰ６２においてパーソナルビデオレコーダ２のＣＰＵ３０は、選択項目「録画済テレビ番組リスト」が選択決定されたことを認識すると、基本機能提供プログラムに従ってハードディスクドライブ３４を参照することにより、当該ハードディスクドライブ３４に記憶された全てのテレビ番組データのデータ名を認識した後、これに基づいて録画済テレビ番組タイトル一覧画面（後述する）のＷｅｂページを生成し、これをリモートコントローラ３に対して送信して、ステップＳＰ６３へ移る。
【０１３２】
ステップＳＰ６３においてリモートコントローラ３のＣＰＵ２０は、パーソナルビデオレコーダ２から録画済テレビ番組タイトル一覧画面のＷｅｂページを受信すると、これに基づいて図２１に示すような録画済テレビ番組タイトル一覧画面１６０を表示部１１に表示し、次のステップＳＰ６４へ移る。
【０１３３】
ここで録画済テレビ番組タイトル一覧画面１６０には、パーソナルビデオレコーダ２によって録画済みである複数種類のテレビ番組のタイトルがリスト表示されており、これら複数種類のテレビ番組のタイトルのそれぞれはカーソル７１によって選択されるようになされている。
【０１３４】
このようにパーソナルビデオレコーダ操作システム１においては、パーソナルビデオレコーダ２に対して録画済テレビ番組確認操作が行われる際、当該録画済テレビ番組確認操作に応じた種々のパーソナルビデオレコーダ画面、すなわち初期メニュー画面７０、テレビ番組リストメニュー画面１４０及び録画済テレビ番組タイトル一覧画面１６０をリモートコントローラ３の表示部１１に順次表示するようになされている。
【０１３５】
ステップＳＰ６４においてリモートコントローラ３のＣＰＵ２０は、例えばユーザによって十字キー１３を介してカーソル７１が操作されることにより、録画済テレビ番組タイトル一覧画面１６０におけるテレビ番組のタイトル「Ｎｅｗｓ　Ｓｔｕｄｉｏ」が選択された後、この状態で決定キー１４が押下されたことを認識すると、テレビ番組のタイトル「Ｎｅｗｓ　Ｓｔｕｄｉｏ」が選択決定されたことをパーソナルビデオレコーダ２に対して伝達し、次のステップＳＰ６５（図２３）へ移る。
【０１３６】
ステップＳＰ６５においてパーソナルビデオレコーダ２のＣＰＵ３０は、テレビ番組のタイトル「Ｎｅｗｓ　Ｓｔｕｄｉｏ」が選択決定されたことを認識すると、操作画面生成プログラムに従って、テレビ番組「Ｎｅｗｓ　Ｓｔｕｄｉｏ」の再生を制御するための再生制御画面（後述する）のＷｅｂページを生成した後これをリモートコントローラ３に対して送信し、次のステップＳＰ６６へ移る。
【０１３７】
ステップＳＰ６６においてリモートコントローラ３のＣＰＵ２０は、パーソナルビデオレコーダ２から再生制御画面のＷｅｂページを受信すると、これに基づいて図２４（Ａ）に示すような再生制御画面１７０を表示部１１に表示し、次のステップＳＰ６７へ移る。
【０１３８】
実際上、再生制御画面１７０に対応するＨＴＭＬソースコードの内容は、以下のとおりである。
【０１３９】
＜ＨＴＭＬ＞＜ＨＥＡＤ＞＜ＴＩＴＬＥ＞再生制御＜／ＴＩＴＬＥ＞＜／ＨＥＡＤ＞
＜ＢＯＤＹ　Ａｎｉｍａｔｉｏｎ−ｔｙｐｅ＝”ＭｏｖｅＦｒｏｍＴｏｐ”＞
＜Ｐ＞［テレビ番組「Ｎｅｗｓ　Ｓｔｕｄｉｏ」］＜ＢＲ＞
＜Ａ　ＨＲＥＦ＝”ＲＥＷ−Ｃｏｎｔｒｏｌ．ｈｔｍｌ”　ａｃｃｅｓｓｋｅｙ＝”１”　ｍｏｄｅ＝”ｃｏｎｔｒｏｌ”＞＜ｉｍｇ＝”ＲＥＷ．ｇｉｆ”＞＜／Ａ＞
＜Ａ　ＨＲＥＦ＝”ＰＡＵＳＥ−Ｃｏｎｔｒｏｌ．ｈｔｍｌ”　ａｃｃｅｓｓｋｅｙ＝”２”　ｍｏｄｅ＝”ｃｏｎｔｒｏｌ”＞＜ｉｍｇ＝”ＰＡＵＳＥ．ｇｉｆ”＞＜／Ａ＞
＜Ａ　ＨＲＥＦ＝”ＰＬＡＹ−Ｃｏｎｔｒｏｌ．ｈｔｍｌ”　ａｃｃｅｓｓｋｅｙ＝”３”　ｍｏｄｅ＝”ｃｏｎｔｒｏｌ”＞＜ｉｍｇ＝”ＰＬＡＹ．ｇｉｆ”＞＜／Ａ＞
＜Ａ　ＨＲＥＦ＝”ＦＦ−Ｃｏｎｔｒｏｌ．ｈｔｍｌ”　ａｃｃｅｓｓｋｅｙ＝”４”　ｍｏｄｅ＝”ｃｏｎｔｒｏｌ”＞＜ｉｍｇ＝”ＦＦ．ｇｉｆ”＞＜／Ａ＞＜ＢＲ＞
＜ｉｍｇ＝”ＰＲＯＧＲＥＳＳＩＶＥＢＡＲ．ｇｉｆ＞＜ＢＲ＞
＜／ＢＯＤＹ＞
＜／ＨＴＭＬ＞
【０１４０】
このように再生制御画面１７０のＨＴＭＬソースコードＳＲＣ４（図２０（Ｂ））においては、タグ「＜ＢＯＤＹ＞」（図２４（Ｂ）において破線で示す）の内部に対してアニメーション表示の形態を規定するための属性項目「Ａｎｉｍａｔｉｏｎ−ｔｙｐｅ」が記述されており、本実施の形態の場合、この属性項目「Ａｎｉｍａｔｉｏｎ−ｔｙｐｅ」に対しては、アニメーション表示対象を再生制御画面１７０の上部から下側方向へ移動させることを意味する「ＭｏｖｅＦｒｏｍＴｏｐ」が設定されている。
【０１４１】
これによりリモートコントローラ３のＣＰＵ２０は、上述のステップＳＰ６６において再生制御画面１７０を表示部１１に対して表示する際、図２５に示すように、ＨＴＭＬソースコードＳＲＣ４におけるタグ「＜ＢＯＤＹ＞」からタグ「＜／ＢＯＤＹ＞」の間で設定されている種々の文字及び画像を上側から下側へ徐々にスライドさせるようにしてアニメーション表示するようになされている。
【０１４２】
ここで再生制御画面１７０（図２４（Ａ））には、テレビ番組の再生、停止、巻戻し及び早送りを行うための再生ボタン１７１、停止ボタン１７２、巻戻しボタン１７３及び早送りボタン１７４が表示されていると共に、テレビ番組の再生状況をユーザに対して認識させるための再生状況プログレッシブバー１７５が表示されている。
【０１４３】
そしてこの再生制御画面１７０においては、ユーザによって十字キー１３を介して選択操作が行われると、当該選択操作に応じて再生ボタン１７１、停止ボタン１７２、巻戻しボタン１７３及び早送りボタン１７４の何れかが網掛表示されるようになされている。
【０１４４】
ステップＳＰ６７においてリモートコントローラ３のＣＰＵ２０は、例えばユーザによって十字キー１３を介して選択操作が行われることにより、再生制御画面１７０における再生ボタン１７１が選択された後、この状態で決定キー１４が押下されたことを認識すると、ＨＴＭＬソースコードＳＲＣ４における当該再生ボタン１７１に対応するタグ「＜Ａ＞」の内部には、属性項目「ｍｏｄｅ」（図２４（Ｂ）において一点鎖線で示す）に対して属性値「ｃｏｎｔｒｏｌ」が設定されていることにより、表示部１１に現在表示中の再生制御画面１７０を継続して表示すると共に、ＨＴＴＰヘッダのみを送信することにより属性項目「ＨＲＥＦ」（図２４（Ｂ）において二重線で示す）に設定された属性値「ＰＬＡＹ−Ｃｏｎｔｒｏｌ．ｈｔｍｌ」をパーソナルビデオレコーダ２に対して伝達し、次のステップＳＰ６８へ移る。
【０１４５】
ステップＳＰ６８においてパーソナルビデオレコーダ２のＣＰＵ３０は、リモートコントローラ３からＨＴＴＰヘッダを受信することにより属性値「ＰＬＡＹ−Ｃｏｎｔｒｏｌ．ｈｔｍｌ」を認識すると、これをテレビ番組「Ｎｅｗｓ　Ｓｔｕｄｉｏ」の再生命令と判断して、当該テレビ番組「Ｎｅｗｓ　Ｓｔｕｄｉｏ」をテレビ５に対して再生する再生処理を実行し、次のステップＳＰ６９へ移る。
【０１４６】
ステップＳＰ６９においてパーソナルビデオレコーダ２のＣＰＵ３０は、例えばテレビ番組「Ｎｅｗｓ　Ｓｔｕｄｉｏ」を１５分間再生した時点で、再生状況プログレッシブバー１７５の表示形態を変更した新たな再生制御画面（後述する）のＷｅｂページを生成した後、ＦＴＰのＰＵＴコマンドを利用することによって当該新たな再生制御画面のＷｅｂページをリモートコントローラ３に対して送信すると共に、当該新たな再生制御画面の表示をリモートコントローラ３に対して命令し、次のステップＳＰ７０へ移る。
【０１４７】
ステップＳＰ７０においてリモートコントローラ３のＣＰＵ２０は、パーソナルビデオレコーダ２から新たな再生制御画面のＷｅｂページを受信すると共に、当該新たな再生制御画面を表示するように命令を受けると、表示部１１に現在表示中の再生制御画面１７０を表示中止とした後、かかる新たな再生制御画面のＷｅｂページに基づいて例えば図２６に示すような新たな再生制御画面１７０Ｘを表示部１１に表示し、次のステップＳＰ７１に移って録画済テレビ番組確認操作時におけるパーソナルビデオレコーダ画面表示処理を終了する。
【０１４８】
ここでこの新たな再生制御画面１７０Ｘには、テレビ番組「Ｎｅｗｓ　Ｓｔｕｄｉｏ」の再生処理が１５分間終了したことを示す再生状況プログレッシブバー１７５Ｘが表示されている。従ってユーザは、リモートコントローラ３の表示部１１を介して新たな再生制御画面１７０Ｘを視認することにより、テレビ番組「Ｎｅｗｓ　Ｓｔｕｄｉｏ」の再生が１５分間分終了したことを容易に認識し得るようになされている。
【０１４９】
このようにパーソナルビデオレコーダ２は、リモートコントローラ３の表示部１１に表示されていた再生制御画面１７０（図２４）を、再生状況プログレッシブバー１７５の表示形態を変更した新たな再生制御画面１７０Ｘ（図２６）へ強制的に更新して、これによりパーソナルビデオレコーダ２における再生処理の処理状況をユーザに対して能動的に通知し得るようになされている。
【０１５０】
（５−６）放送時間帯分類ＥＰＧ閲覧操作時におけるパーソナルビデオレコーダ画面表示処理
さらに、これから放送されるテレビ番組のタイトルが放送時間帯ごとに分類されてなるＥＰＧ（以下、これを放送時間帯分類ＥＰＧと呼ぶ）を閲覧するための操作（以下、これを放送時間帯分類ＥＰＧ閲覧操作と呼ぶ）がユーザによりリモートコントローラ３を介して行われる場合にも、パーソナルビデオレコーダ２及びリモートコントローラ３によってパーソナルビデオレコーダ画面表示処理を実行するようになされている。
【０１５１】
ここでは、この放送時間帯分類ＥＰＧ閲覧操作時におけるパーソナルビデオレコーダ画面表示処理について、図２７及び図２８（図８及び図１６との対応部分に同一符号を付す）に示すシーケンスチャートを用いて以下に説明する。
【０１５２】
まず、ステップＳＰ１においてリモートコントローラ３のＣＰＵ２０は、例えばユーザによってメニューキー１５が押下操作されたことを認識すると、初期メニュー画面７０のＷｅｂページを送信するようにパーソナルビデオレコーダ２に対して要求し、ステップＳＰ２においてパーソナルビデオレコーダ２のＣＰＵ３０は、初期メニュー画面７０のＷｅｂページをリモートコントローラ３に対して送信し、ステップＳＰ３においてリモートコントローラ３のＣＰＵ２０は、初期メニュー画面７０（図１０）を表示部１１に表示し、次のステップＳＰ８１へ移る。
【０１５３】
ステップＳＰ８１においてリモートコントローラ３のＣＰＵ２０は、例えばユーザによって十字キー１３を介してカーソル７１が操作されることにより、初期メニュー画面７０における選択項目「ＥＰＧ」が選択された後、この状態で決定キー１４が押下されたことを認識すると、選択項目「ＥＰＧ」が選択決定されたことをパーソナルビデオレコーダ２に対して伝達し、次のステップＳＰ８２へ移る。
【０１５４】
ステップＳＰ８２においてパーソナルビデオレコーダ２のＣＰＵ３０は、選択項目「ＥＰＧ」が選択決定されたことを認識すると、サーバプログラムに従って、ハードディスクドライブ３４のパーソナルビデオレコーダ画面記憶領域からＥＰＧメニュー画面（後述する）のＷｅｂページを読み出した後これをリモートコントローラ３に対して送信し、次のステップＳＰ８３へ移る。
【０１５５】
ステップＳＰ８３においてリモートコントローラ３のＣＰＵ２０は、パーソナルビデオレコーダ２からＥＰＧメニュー画面のＷｅｂページを受信すると、これに基づいて例えば図１０に示すような、２つの選択項目がリスト表示されており当該２つの選択項目のそれぞれがカーソル７１によって選択されるようになされたＥＰＧメニュー画面１８０を表示部１１に表示し、次のステップＳＰ８４へ移る。
【０１５６】
ステップＳＰ８４においてリモートコントローラ３のＣＰＵ２０は、例えばユーザによって十字キー１３を介してカーソル７１が操作されることにより、ＥＰＧメニュー画面１８０における選択項目「放送時間帯分類ＥＰＧ」が選択された後、この状態で決定キー１４が押下されたことを認識すると、選択項目「放送時間帯分類ＥＰＧ」が選択決定されたことをパーソナルビデオレコーダ２に対して伝達し、次のステップＳＰ８５へ移る。
【０１５７】
ステップＳＰ８５においてパーソナルビデオレコーダ２のＣＰＵ３０は、選択項目「放送時間帯分類ＥＰＧ」が選択決定されたことを認識すると、基本機能提供プログラムに従って、パーソナルビデオレコーダ２内部に設けられた図示しないＲＴＣ（Ｒｅａｌ　Ｔｉｍｅ　Ｃｌｏｃｋ）回路によって計時している現在日時を認識した後、ＥＰＧ情報処理部３５を制御することにより、当該現在日時以降に放送される複数種類のテレビ番組のタイトルが放送時間帯ごとに分類されてなるＥＰＧ情報（以下、これを放送時間帯分類ＥＰＧ情報と呼ぶ）を生成する。
【０１５８】
そしてパーソナルビデオレコーダ２のＣＰＵ３０は、当該生成した放送時間帯分類ＥＰＧ情報に基づいて放送時間帯分類ＥＰＧ画面（後述する）のＷｅｂページを生成し、これをリモートコントローラ３に対して送信して、ステップＳＰ８６へ移る。
【０１５９】
ステップＳＰ８６においてリモートコントローラ３のＣＰＵ２０は、パーソナルビデオレコーダ２から送信された放送時間帯分類ＥＰＧ画面のＷｅｂページを受信すると、これに基づいて例えば図２９に示すような放送時間帯分類ＥＰＧ画面１９０を表示部１１に表示し、次のステップＳＰ８７へ移る。
【０１６０】
ここでこの放送時間帯分類ＥＰＧ画面１９０には、これから放送される複数種類のテレビ番組のタイトルが放送時間帯ごとにリスト表示されており、これら複数のテレビ番組のタイトルのそれぞれはカーソル７１によって選択されるようになされている。
【０１６１】
このようにパーソナルビデオレコーダ操作システム１においては、放送時間帯分類ＥＰＧ閲覧操作がパーソナルビデオレコーダ２に対して行われる際、当該放送時間帯分類ＥＰＧ閲覧操作に応じた種々のパーソナルビデオレコーダ画面、すなわち初期メニュー画面７０、ＥＰＧメニュー画面１８０及び放送時間帯分類ＥＰＧ画面１９０をリモートコントローラ３の表示部１１に順次表示するようになされている。
【０１６２】
ステップＳＰ８７においてリモートコントローラ３のＣＰＵ２０は、例えばユーザによって十字キー１３を介してカーソル７１が操作されることにより、放送時間帯分類ＥＰＧ画面１９０におけるテレビ番組のタイトル「Ｎｅｗｓ　Ｓｔｕｄｉｏ」が選択された後、この状態で決定キー１４が押下されたことを認識すると、テレビ番組のタイトル「Ｎｅｗｓ　Ｓｔｕｄｉｏ」が選択決定されたことをパーソナルビデオレコーダ２に対して伝達し、次のステップＳＰ８８（図２８）へ移る。
【０１６３】
ステップＳＰ８８においてパーソナルビデオレコーダ２のＣＰＵ３０は、テレビ番組のタイトル「Ｎｅｗｓ　Ｓｔｕｄｉｏ」が選択決定されたことを認識すると、操作画面生成プログラムに従って、録画予約設定画面１３０のＷｅｂページを生成して、これをリモートコントローラ３に対して送信し、ステップＳＰ３８へ移る。
【０１６４】
そして、ステップＳＰ３８においてリモートコントローラ３のＣＰＵ２０は、録画予約設定画面１３０（図１９（Ａ））を表示部１１に表示し、ステップＳＰ３９においてリモートコントローラ３のＣＰＵ２０は、例えばユーザによって操作入力部２４を介して「予約する」ボタン１３１が選択決定されたことを認識すると、属性値「予約する−Ｃｏｎｔｒｏｌ．ｈｔｍｌ」をパーソナルビデオレコーダ２に対して伝達し、ステップＳＰ４０においてパーソナルビデオレコーダ２のＣＰＵ２０は、テレビ番組「Ｎｅｗｓ　Ｓｔｕｄｉｏ」を録画予約する録画予約処理を実行し、この後、ステップＳＰ８９に移って放送時間帯分類ＥＰＧ閲覧操作時におけるパーソナルビデオレコーダ画面表示処理を終了する。
【０１６５】
このようにパーソナルビデオレコーダ操作システム１においては、放送時間帯分類ＥＰＧ画面１９０においてリスト表示された複数種類のテレビ番組のタイトルのうち、例えばテレビ番組のタイトル「Ｎｅｗｓ　Ｓｔｕｄｉｏ」が選択決定される操作が行われると、これに応じてテレビ番組「Ｎｅｗｓ　Ｓｔｕｄｉｏ」の録画予約を設定するためのパーソナルビデオレコーダ画面、すなわち録画予約設定画面１３０をリモートコントローラ３の表示部１１に表示するようになされている。
【０１６６】
（５−７）ジャンル分類ＥＰＧ閲覧操作時におけるパーソナルビデオレコーダ画面表示処理
さらに、複数種類のテレビ番組のタイトルがテレビ番組のジャンル（例えば、歌番組やスポーツ番組）ごとに分類されてなるＥＰＧ（以下、これをジャンル分類ＥＰＧと呼ぶ）を閲覧するための操作（以下、これをジャンル分類ＥＰＧ閲覧操作と呼ぶ）がユーザによりリモートコントローラ３を介して行われる場合にも、パーソナルビデオレコーダ２及びリモートコントローラ３によってパーソナルビデオレコーダ画面表示処理を実行するようになされている。
【０１６７】
ここでは、このジャンル分類ＥＰＧ閲覧操作時におけるパーソナルビデオレコーダ画面表示処理について、図３０及び図３１（図８、図１６及び図２７との対応部分に同一符号を付す）に示すシーケンスチャートを用いて以下に説明する。
【０１６８】
まず、ステップＳＰ１においてリモートコントローラ３のＣＰＵ２０は、例えばユーザによってメニューキー１５が押下操作されたことを認識すると、初期メニュー画面７０のＷｅｂページを送信するようにパーソナルビデオレコーダ２に対して要求し、ステップＳＰ２においてパーソナルビデオレコーダ２のＣＰＵ３０は、初期メニュー画面７０のＷｅｂページをリモートコントローラ３に対して送信し、ステップＳＰ３においてリモートコントローラ３のＣＰＵ２０は、初期メニュー画面７０（図１０）を表示部１１に表示し、次のステップＳＰ８１へ移る。
【０１６９】
そして、ステップＳＰ８１においてリモートコントローラ３のＣＰＵ２０は、例えばユーザにより操作入力部２４を介して選択項目「ＥＰＧ」が選択決定されたことを認識すると、選択項目「ＥＰＧ」が選択決定されたことをパーソナルビデオレコーダ２に対して伝達し、ステップＳＰ８２においてパーソナルビデオレコーダ２のＣＰＵ３０は、ＥＰＧメニュー画面１８０のＷｅｂページをリモートコントローラ３に対して送信し、ステップＳＰ８３においてリモートコントローラ３のＣＰＵ２０は、ＥＰＧメニュー画面１８０（図１０）を表示部１１に表示し、次のステップＳＰ９１へ移る。
【０１７０】
ステップＳＰ９１においてリモートコントローラ３のＣＰＵ２０は、例えばユーザによって十字キー１３を介してカーソル７１が操作されることにより、ＥＰＧメニュー画面１８０における選択項目「ジャンル分類ＥＰＧ」が選択された後、この状態で決定キー１４が押下されたことを認識すると、選択項目「ジャンル分類ＥＰＧ」が選択決定されたことをパーソナルビデオレコーダ２に対して伝達し、次のステップＳＰ９２へ移る。
【０１７１】
ステップＳＰ９２においてパーソナルビデオレコーダ２のＣＰＵ３０は、選択項目「ジャンル分類ＥＰＧ」が選択決定されたことを認識すると、サーバプログラムに従って、ハードディスクドライブ３４のパーソナルビデオレコーダ画面記憶領域からジャンル選択画面（後述する）のＷｅｂページを読み出した後これをリモートコントローラ３に対して送信し、次のステップＳＰ９３へ移る。
【０１７２】
ステップＳＰ９３においてリモートコントローラ３のＣＰＵ２０は、パーソナルビデオレコーダ２からジャンル選択画面のＷｅｂページを受信すると、これに基づいて例えば図２９に示すようなジャンル選択画面２００を表示部１１に表示し、次のステップＳＰ９４へ移る。
【０１７３】
ここでこのジャンル選択画面２００には、複数のテレビ番組のジャンルがリスト表示されており、これら複数のテレビ番組のジャンルのそれぞれはカーソル７１によって選択されるようになされている。
【０１７４】
ステップＳＰ９４においてリモートコントローラ３のＣＰＵ２０は、例えばユーザによって十字キー１３を介してカーソル７１が操作されることにより、ジャンル選択画面２００におけるテレビ番組のジャンル「ニュース」が選択された後、この状態で決定キー１４が押下されたことを認識すると、テレビ番組のジャンル「ニュース」が選択決定されたことをパーソナルビデオレコーダ２に対して伝達し、次のステップＳＰ９５へ移る。
【０１７５】
ステップＳＰ９５においてパーソナルビデオレコーダ２のＣＰＵ３０は、テレビ番組のジャンル「ニュース」が選択決定されたことを認識すると、基本機能提供プログラムに従ってＥＰＧ情報処理部３５を制御することにより、当該テレビ番組のジャンル「ニュース」に属する複数種類のテレビ番組のタイトルのみからなるＥＰＧ情報を生成した後、これに基づいてジャンル分類ＥＰＧ画面（後述する）のＷｅｂページを生成し、これをリモートコントローラ３に対して送信して、ステップＳＰ９６（図３１）へ移る。
【０１７６】
ステップＳＰ９６においてリモートコントローラ３のＣＰＵ２０は、パーソナルビデオレコーダ２から送信されたジャンル分類ＥＰＧ画面のＷｅｂページを受信すると、これに基づいて例えば図２９に示すようなジャンル分類ＥＰＧ画面２１０を表示部１１に表示し、次のステップＳＰ９７へ移る。
【０１７７】
ここでこのジャンル分類ＥＰＧ画面２１０には、テレビ番組のジャンル「ニュース」に属する複数種類のテレビ番組のタイトルがリスト表示されており、これら複数のテレビ番組のタイトルのそれぞれはカーソル７１によって選択されるようになされている。
【０１７８】
このようにパーソナルビデオレコーダ操作システム１においては、ジャンル分類ＥＰＧ閲覧操作がパーソナルビデオレコーダに対して行われる際、当該ジャンル分類ＥＰＧ閲覧操作に応じた種々のパーソナルビデオレコーダ画面、すなわち初期メニュー画面７０、ＥＰＧメニュー画面１８０、ジャンル選択画面２００及びジャンル分類ＥＰＧ画面２１０をリモートコントローラ３の表示部１１に順次表示するようになされている。
【０１７９】
ステップＳＰ９７においてパーソナルビデオレコーダ２のＣＰＵ３０は、例えばユーザによって十字キー１３を介してカーソル７１が操作されることにより、ジャンル分類ＥＰＧ画面２１０におけるテレビ番組のタイトル「Ｎｅｗｓ　Ｓｔｕｄｉｏ」が選択された後、この状態で決定キー１４が押下されたことを認識すると、テレビ番組のタイトル「Ｎｅｗｓ　Ｓｔｕｄｉｏ」が選択決定されたことをパーソナルビデオレコーダ２に対して伝達し、次のステップＳＰ９８へ移る。
【０１８０】
ステップＳＰ９８においてパーソナルビデオレコーダ２のＣＰＵ３０は、テレビ番組のタイトル「Ｎｅｗｓ　Ｓｔｕｄｉｏ」が選択決定されたことを認識すると、操作画面生成プログラムに従って、録画予約設定画面１３０（図１９）のＷｅｂページを生成して、これをリモートコントローラ３に対して送信し、ステップＳＰ３８へ移る。
【０１８１】
そして、ステップＳＰ３８においてリモートコントローラ３のＣＰＵ２０は、録画予約設定画面１３０を表示部１１に表示し、ステップＳＰ３９においてリモートコントローラ３のＣＰＵ２０は、例えばユーザによって操作入力部２４を介して「予約する」ボタン１３１が選択決定されたことを認識すると、属性項目「ＨＲＥＦ」に対して設定された属性値「予約する−Ｃｏｎｔｒｏｌ．ｈｔｍｌ」をパーソナルビデオレコーダ２に対して伝達し、ステップＳＰ４０においてパーソナルビデオレコーダ２のＣＰＵ２０は、属性値「予約する−Ｃｏｎｔｒｏｌ．ｈｔｍｌ」を認識すると、テレビ番組「Ｎｅｗｓ　Ｓｔｕｄｉｏ」を録画予約する録画予約処理を実行し、この後、次のステップＳＰ９９へ移ってジャンル分類ＥＰＧ閲覧操作時におけるパーソナルビデオレコーダ画面表示処理を終了する。
【０１８２】
このようにパーソナルビデオレコーダ操作システム１においては、ジャンル分類ＥＰＧ画面２１０においてリスト表示された複数のテレビ番組のタイトルのうち、例えばテレビ番組のタイトル「Ｎｅｗｓ　Ｓｔｕｄｉｏ」が選択決定される操作が行われると、これに応じてテレビ番組「Ｎｅｗｓ　Ｓｔｕｄｉｏ」の録画予約を設定するためのパーソナルビデオレコーダ画面、すなわち録画予約設定画面１３０をリモートコントローラ３の表示部１１に表示するようになされている。
【０１８３】
（５−８）視聴履歴確認操作時におけるパーソナルビデオレコーダ画面表示処理
さらに、パーソナルビデオレコーダ２によってこれまで録画した複数の録画済みのテレビ番組に対するユーザの視聴履歴を確認するための操作（以下、これを視聴履歴確認操作と呼ぶ）がユーザによりリモートコントローラ３を介して行われる場合にも、パーソナルビデオレコーダ２及びリモートコントローラ３によってパーソナルビデオレコーダ画面表示処理を実行するようになされている。
【０１８４】
ここでは、この視聴履歴確認操作時におけるパーソナルビデオレコーダ画面表示処理について、図３２（図８との対応部分に同一符号を付す）に示すシーケンスチャートを用いて以下に説明する。
【０１８５】
まず、ステップＳＰ１においてリモートコントローラ３のＣＰＵ２０は、例えばユーザによってメニューキー１５が押下操作されたことを認識すると、初期メニュー画面７０のＷｅｂページを送信するようにパーソナルビデオレコーダ２に対して要求し、ステップＳＰ２においてパーソナルビデオレコーダ２のＣＰＵ３０は、初期メニュー画面７０のＷｅｂページをリモートコントローラ３に対して送信し、ステップＳＰ３においてリモートコントローラ３のＣＰＵ２０は、初期メニュー画面７０（図１０）を表示部１１に表示し、次のステップＳＰ１０１へ移る。
【０１８６】
ステップＳＰ１０１においてリモートコントローラ３のＣＰＵ２０は、例えばユーザによって十字キー１３を介してカーソル７１が操作されることにより、初期メニュー画面７０における選択項目「詳細情報」が選択された後、この状態で決定キー１４が押下されたことを認識すると、選択項目「詳細情報」が選択決定されたことをパーソナルビデオレコーダ２に対して伝達し、次のステップＳＰ１０２へ移る。
【０１８７】
ステップＳＰ１０２においてパーソナルビデオレコーダ２のＣＰＵ３０は、選択項目「詳細情報」が選択決定されたことを認識すると、ハードディスクドライブ３４のパーソナルビデオレコーダ画面格納領域から詳細情報メニュー画面（後述する）のＷｅｂページを読み出した後これをリモートコントローラ３に対して送信し、次のステップＳＰ１０３へ移る。
【０１８８】
ステップＳＰ１０３においてリモートコントローラ３のＣＰＵ２０は、パーソナルビデオレコーダ２から送信された詳細情報メニュー画面のＷｅｂページを受信すると、これに基づいて例えば図１０に示すような、２つの選択項目がリスト表示されており当該２つの選択項目のそれぞれがカーソル７１によって選択されるようになされた詳細情報メニュー画面２２０を表示部１１に表示し、次のステップＳＰ１０４へ移る。
【０１８９】
ステップＳＰ１０４においてリモートコントローラ３のＣＰＵ２０は、例えばユーザによって十字キー１３を介してカーソル７１が操作されることにより、詳細情報メニュー画面２２０における選択項目「視聴履歴」が選択された後、この状態で決定キー１４が押下されたことを認識すると、選択項目「視聴履歴」が選択決定されたことをパーソナルビデオレコーダ２に対して伝達し、次のステップＳＰ１０５へ移る。
【０１９０】
ステップＳＰ１０５においてパーソナルビデオレコーダ２のＣＰＵ３０は、選択項目「視聴履歴」が選択決定されたことを認識すると、基本機能提供プログラムに従って、ハードディスクドライブ３４に記憶されている再生履歴情報を参照することにより、例えば最近一週間以内にユーザによって視聴されたテレビ番組のタイトルを認識した後、これに基づいて視聴履歴画面（後述する）のＷｅｂページを生成してこれをリモートコントローラ３に対して送信し、次のステップＳＰ１０６へ移る。
【０１９１】
ここでこの再生履歴情報とは、パーソナルビデオレコーダ２によってこれまで再生したテレビ番組のタイトルが再生日時の情報と対応付けられて記されたものであり、パーソナルビデオレコーダ２のハードディスクドライブ３４に記憶されている。パーソナルビデオレコーダ２は再生処理を実行する度に、当該再生処理の対象となったテレビ番組のタイトルをこの再生履歴情報に対して追記するようになされている。
【０１９２】
ステップＳＰ１０６においてリモートコントローラ３のＣＰＵ２０は、パーソナルビデオレコーダ２から視聴履歴画面のＷｅｂページを受信すると、これに基づいて例えば図３３に示すような視聴履歴画面２３０を表示部１１に表示し、次のステップＳＰ１０７に移って視聴履歴確認操作時におけるパーソナルビデオレコーダ画面表示処理を終了する。
【０１９３】
ここでこの視聴履歴画面２３０には、最近一週間以内にユーザによって視聴された複数の録画済みのテレビ番組のタイトルが当該視聴された日付ごとに分類されてリスト表示されている。
【０１９４】
従ってパーソナルビデオレコーダ操作システム１においては、ユーザに対してリモートコントローラ３の表示部１１に表示した視聴履歴画面２３０を視認させることにより、ユーザの視聴履歴を確認させ得るようになされている。
【０１９５】
このようにパーソナルビデオレコーダ操作システム１においては、パーソナルビデオレコーダ２に対して視聴履歴確認操作が行われる際、当該視聴履歴確認操作に応じた種々のパーソナルビデオレコーダ画面、すなわち初期メニュー画面７０、詳細情報メニュー画面２２０及び視聴履歴画面２３０をリモートコントローラ３の表示部１１に順次表示するようになされている。
【０１９６】
（５−９）テレビ番組詳細情報確認操作時におけるパーソナルビデオレコーダ画面表示処理
例えば、パーソナルビデオレコーダ２によって録画済みのテレビ番組「Ｎｅｗｓ　Ｓｔｕｄｉｏ」の再生処理を実行することによりテレビ番組「Ｎｅｗｓ　Ｓｔｕｄｉｏ」をテレビ５に対して再生している状態で、当該テレビ番組「Ｎｅｗｓ　Ｓｔｕｄｉｏ」についてのテレビ番組詳細情報（すなわち、出演者や内容等）を確認するための操作（以下、これをテレビ番組詳細情報確認操作と呼ぶ）がユーザによりリモートコントローラ３を介して行われる場合にも、パーソナルビデオレコーダ２及びリモートコントローラ３によってパーソナルビデオレコーダ画面表示処理を実行するようになされている。
【０１９７】
このとき情報提供サーバ８は、パーソナルビデオレコーダ２によって再生しているテレビ番組「Ｎｅｗｓ　Ｓｔｕｄｉｏ」についてのテレビ番組詳細情報を提供する処理を実行するようになされている。
【０１９８】
ここでは、この情報提供サーバ８における処理と合わせて、テレビ番組詳細情報確認操作時におけるパーソナルビデオレコーダ画面表示処理を、図３４、図３５及び図３６（図８及び図３２との対応部分に同一符号を付す）に示すシーケンスチャートを用いて以下に説明する。
【０１９９】
ステップＳＰ１１０においてリモートコントローラ３のＣＰＵ２０は、例えばパーソナルビデオレコーダ２によって再生処理が実行されることによりテレビ番組「Ｎｅｗｓ　Ｓｔｕｄｉｏ」がテレビ５に再生されている状態で、ユーザによってメニューキー１５が押下操作されたことを認識すると、初期メニュー画面７０のＷｅｂページを送信するようにパーソナルビデオレコーダ２に対して要求し、次のステップＳＰ２へ移る。
【０２００】
すなわち、ステップＳＰ２においてパーソナルビデオレコーダ２のＣＰＵ３０は、初期メニュー画面７０のＷｅｂページをリモートコントローラ３に対して送信し、ステップＳＰ３においてリモートコントローラ３のＣＰＵ２０は、初期メニュー画面７０（図１０）を表示部１１に表示し、次のステップＳＰ１０１へ移る。
【０２０１】
つまり、ステップＳＰ１０１においてリモートコントローラ３のＣＰＵ２０は、例えばユーザにより操作入力部２４を介して選択項目「詳細情報」が選択決定されたことを認識すると、この旨をパーソナルビデオレコーダ２に対して伝達し、ステップＳＰ１０２においてパーソナルビデオレコーダ２のＣＰＵ３０は、詳細情報メニュー画面２２０のＷｅｂページをリモートコントローラ３に対して送信し、ステップＳＰ１０３においてリモートコントローラ３のＣＰＵ２０は、詳細情報メニュー画面２２０（図１０）を表示部１１に表示し、次のステップＳＰ１１１へ移る。
【０２０２】
ステップＳＰ１１１においてリモートコントローラ３のＣＰＵ２０は、例えばユーザによって十字キー１３を介してカーソル７１が操作されることにより、詳細情報メニュー画面２２０における選択項目「テレビ番組詳細情報」が選択された後、この状態で決定キー１４が押下されたことを認識すると、選択項目「テレビ番組詳細情報」が選択決定されたことをパーソナルビデオレコーダ２に対して伝達し、次のステップＳＰ１１２へ移る。
【０２０３】
ステップＳＰ１１２においてパーソナルビデオレコーダ２のＣＰＵ３０は、選択項目「テレビ番組詳細情報」が選択決定されたことを認識すると、現在再生中のテレビ番組「Ｎｅｗｓ　Ｓｔｕｄｉｏ」に関するテレビ番組詳細情報を送信するように情報提供サーバ８に対して要求し、次のステップＳＰ１１３へ移る。
【０２０４】
ステップＳＰ１１３において情報提供サーバ８のＣＰＵ５０は、パーソナルビデオレコーダ２からテレビ番組「Ｎｅｗｓ　Ｓｔｕｄｉｏ」に関するテレビ番組詳細情報を送信するように要求を受けると、情報提供プログラムに従って、ハードディスクドライブ５４のテレビ番組詳細情報記憶領域からテレビ番組「Ｎｅｗｓ　Ｓｔｕｄｉｏ」に関するテレビ番組詳細情報を読み出すと共に、ハードディスクドライブ５４の広告画像記憶領域に記憶された複数の広告画像データから最新の広告画像データを読み出し、そして、当該読み出したテレビ番組「Ｎｅｗｓ　Ｓｔｕｄｉｏ」に関するテレビ番組詳細情報及び最新の広告画像データをパーソナルビデオレコーダ２に対して送信し、次のステップＳＰ１１４へ移る。
【０２０５】
ステップＳＰ１１４においてパーソナルビデオレコーダ２のＣＰＵ３０は、情報提供サーバ８からテレビ番組「Ｎｅｗｓ　Ｓｔｕｄｉｏ」に関するテレビ番組詳細情報及び最新の広告画像データを受信すると、これに基づいてテレビ番組詳細情報画面（後述する）のＷｅｂページを生成してこれをリモートコントローラ３に対して送信し、次のステップＳＰ１１５へ移る。
【０２０６】
ステップＳＰ１１５においてリモートコントローラ３のＣＰＵ２０は、パーソナルビデオレコーダ２からテレビ番組詳細情報画面のＷｅｂページを受信すると、これに基づいて例えば図３３に示すようなテレビ番組詳細情報画面２４０を表示部１１に表示し、次のステップＳＰ１１６へ移る。
【０２０７】
ここでこのテレビ番組詳細情報画面２４０には、テレビ番組詳細情報表示領域２４１及び広告表示領域２４２が設けられており、テレビ番組詳細情報表示領域２４１に対しては、現在再生中のテレビ番組「Ｎｅｗｓ　Ｓｔｕｄｉｏ」に関するテレビ番組詳細情報の内容が表示されており、広告表示領域２４２に対しては、情報提供サーバ８が現在保持している複数の広告画像データのうち最新の広告画像データに基づく広告画像ＡＰ１が表示されている。
【０２０８】
このようにパーソナルビデオレコーダ操作システム１においては、パーソナルビデオレコーダ２に対してテレビ番組詳細情報確認操作が行われる際、当該テレビ番組詳細情報確認操作に応じた種々のパーソナルビデオレコーダ画面、すなわち初期メニュー画面７０、詳細情報メニュー画面２２０及びテレビ番組詳細情報画面２４０をリモートコントローラ３の表示部１１に順次表示するようになされている。
【０２０９】
ところでリモートコントローラ３のＣＰＵ２０は、テレビ番組詳細情報画面２４０を表示部１１に表示した状態になると、問い合わせプログラムに従って、テレビ番組詳細情報画面２４０における広告画像ＡＰ１よりも新しい広告画像の広告画像データが情報提供サーバ８に存在するか否かをパーソナルビデオレコーダ２に対して定期的に問い合わせる処理を実行するようになされている。
【０２１０】
すなわち、ステップＳＰ１１６においてリモートコントローラ３のＣＰＵ３０は、パーソナルビデオレコーダ２に対するこの定期的な問い合わせ処理を実行すると、次のステップＳＰ１１７へ移る。
【０２１１】
ステップＳＰ１１７においてパーソナルビデオレコーダ２のＣＰＵ３０は、リモートコントローラ３から広告画像ＡＰ１よりも新しい広告画像が情報提供サーバ８に存在するか否かの問い合わせを受けると、広告画像ＡＰ１よりも新しい広告画像を保持しているか否かを確認するように情報提供サーバ８に対して要求し、次のステップＳＰ１１８へ移る。
【０２１２】
ステップＳＰ１１８において情報提供サーバ８のＣＰＵ５０は、パーソナルビデオレコーダ２から広告画像ＡＰ１よりも新しい広告画像を保持しているか否かを確認するように要求されると、ハードディスクドライブ５４の広告画像記憶領域を参照することにより、広告画像ＡＰ１の広告画像データよりも新しい広告画像データが存在するか否かを確認する。
【０２１３】
ステップＳＰ１１８において否定結果が得られると、このことは広告画像ＡＰ１の広告画像データよりも新しい広告画像データが情報提供サーバ８に存在しないことを表しており、このとき情報提供サーバ８のＣＰＵ５０は、広告画像ＡＰ１の広告画像データよりも新しい広告画像データが存在しない旨をパーソナルビデオレコーダ２に対して通知する。これによりパーソナルビデオレコーダ２のＣＰＵ３０は、如何なる処理も実行せず、リモートコントローラ３に対してステップＳＰ１１６における定期的な問い合わせ処理を継続して実行させるようになされている。
【０２１４】
これに対してステップＳＰ１１８において肯定結果が得られると、このことは広告画像ＡＰ１の広告画像データよりも新しい広告画像データが情報提供サーバ８に存在することを表しており、このとき情報提供サーバ８のＣＰＵ５０は、次のステップＳＰ１１９へ移る。
【０２１５】
ステップＳＰ１１９において情報提供サーバ８のＣＰＵ５０は、ハードディスクドライブ５４の広告画像記憶領域から広告画像ＡＰ１の広告画像データよりも新しい広告画像データを読み出した後、これをパーソナルビデオレコーダ２に対して送信し、次のステップＳＰ１２０へ移る。
【０２１６】
ステップＳＰ１２０においてパーソナルビデオレコーダ２のＣＰＵ３０は、情報提供サーバ８から新しい広告画像データを受信すると、これに基づいてテレビ番組詳細情報画面２４０とは異なる新たなテレビ番組詳細情報画面のＷｅｂページを生成してこれをリモートコントローラ３に対して送信し、次のステップＳＰ１２１へ移る。
【０２１７】
ステップＳＰ１２１においてリモートコントローラ３のＣＰＵ２０は、パーソナルビデオレコーダ２からテレビ番組詳細情報画面２４０とは異なる新たなテレビ番組詳細情報画面のＷｅｂページを受信すると、これに基づいて例えば図３３に示すような新たなテレビ番組詳細情報画面２４０Ｘを表示部１１に表示し、次のステップＳＰ１２２へ移ってテレビ番組詳細情報確認操作時におけるパーソナルビデオレコーダ画面表示処理を終了する。
【０２１８】
ここでこの新たなテレビ番組詳細情報画面２４０Ｘにおける広告表示領域２４２には、これまでのテレビ番組詳細情報画面２４０における広告画像ＡＰ１とは異なる新たな広告画像ＡＰ２が表示されている。
【０２１９】
このようにパーソナルビデオレコーダ操作システム１においては、ユーザがパーソナルビデオレコーダ２を操作する際に必ず視認するリモートコントローラ３の表示部１１に対して種々の広告画像を表示させ得るようになされている。
【０２２０】
（６）動作及び効果
以上の構成において、パーソナルビデオレコーダ操作システム１においては、パーソナルビデオレコーダ２に対して新規録画テレビ番組確認操作が行われる際、当該新規録画テレビ番組確認操作に関する情報が記された種々のパーソナルビデオレコーダ画面、すなわち初期メニュー画面７０、新規情報メニュー画面８０及び新規録画テレビ番組タイトル一覧画面９０をリモートコントローラ３の表示部１１に順次表示する。
【０２２１】
従って、例えばユーザによるテレビ番組の視聴に伴い当該テレビ番組に係る情報がテレビ５に表示されている状況でかかる新規録画テレビ番組確認操作がパーソナルビデオレコーダ２に対して行われた場合であっても、このテレビ番組に係る情報の表示を阻害することなく当該新規録画テレビ番組確認操作に応じた種々のパーソナルビデオレコーダ画面を表示することができる。これによりユーザは、テレビ番組に係る情報を視認しながら、新規録画テレビ番組確認操作に関する情報を確実に視認することができ、かくしてテレビ番組の視聴を中断することなく新規録画テレビ番組確認操作を行うことができる。また、新規録画テレビ番組確認操作に関する情報をリモートコントローラ３の表示部１１を介して視認することができるので、テレビ５の電源が投入されていない場合であっても新規録画テレビ番組確認操作を行うことができる。
【０２２２】
そしてパーソナルビデオレコーダ操作システム１においては、新着電子メールの内容を確認するための新着電子メール内容確認操作が行われる際、当該新着電子メール内容確認操作に関する情報が記された種々のパーソナルビデオレコーダ画面、すなわち初期メニュー画面７０、新規情報メニュー画面８０、新着電子メール件名一覧画面１００及び新着電子メール内容確認画面１１０をリモートコントローラ３の表示部１１に順次表示する。
【０２２３】
従って、ユーザによるテレビ番組の視聴に伴い当該テレビ番組に係る情報がテレビ５に表示されている状況でかかる新着電子メール内容確認操作がパーソナルビデオレコーダ２に対して行われた場合であっても、このテレビ番組に係る情報の表示を阻害することなく当該新着電子メール内容確認操作に応じた種々のパーソナルビデオレコーダ画面を表示することができる。これによりユーザは、テレビ番組に係る情報を視認しながら、新着電子メール内容確認操作に関する情報を確実に視認することができ、かくしてテレビ番組の視聴を中断することなく新着電子メール内容確認操作を行うことができる。また、新着電子メール内容確認操作に関する情報をリモートコントローラ３の表示部１１を介して視認することができるので、テレビ５の電源が投入されていない場合であっても新着電子メール内容確認操作を行うことができる。
【０２２４】
一方、パーソナルビデオレコーダ操作システム１においては、テレビ番組お勧め情報の内容を確認するためのお勧め情報確認操作がパーソナルビデオレコーダ２に対して行われる際、当該お勧め情報確認操作に関する情報が記された種々のパーソナルビデオレコーダ画面、すなわち初期メニュー画面７０、新規情報メニュー画面８０及びお勧め情報画面１２０をリモートコントローラ３の表示部１１に順次表示する。
【０２２５】
従って、ユーザによるテレビ番組の視聴に伴い当該テレビ番組に係る情報がテレビ５に表示されている状況でかかるお勧め情報確認操作がパーソナルビデオレコーダ２に対して行われた場合であっても、このテレビ番組に係る情報の表示を阻害することなく当該お勧め情報確認操作に応じた種々のパーソナルビデオレコーダ画面を表示することができる。これによりユーザは、テレビ番組に係る情報を視認しながら、お勧め情報確認操作に関する情報を確実に視認することができ、かくしてテレビ番組の視聴を中断することなくお勧め情報確認操作を行うことができる。また、お勧め情報確認操作に関する情報をリモートコントローラ３の表示部１１を介して視認することができるので、テレビ５の電源が投入されていない場合であってもお勧め情報確認操作を行うことができる。
【０２２６】
そして、このテレビ番組お勧め情報によってお勧めされたテレビ番組（例えば、テレビ番組「Ｎｅｗｓ　Ｓｔｕｄｉｏ」）の録画予約を設定するための録画予約設定操作が行われると、当該録画予約設定操作に関する情報が記されたパーソナルビデオレコーダ画面、すなわち録画予約設定画面１３０をリモートコントローラ３の表示部１１に表示する。
【０２２７】
従って、ユーザによるテレビ番組の視聴に伴い当該テレビ番組に係る情報がテレビ５に表示されている状況でかかる録画予約設定操作がパーソナルビデオレコーダ２に対して行われた場合であっても、このテレビ番組に係る情報の表示を阻害することなく当該録画予約設定操作に応じたパーソナルビデオレコーダ画面を表示することができる。これによりユーザは、テレビ番組に係る情報を視認しながら、録画予約設定操作に関する情報を確実に視認することができ、かくしてテレビ番組の視聴を中断することなく録画予約設定操作を行うことができる。また、録画予約設定操作に関する情報をリモートコントローラ３の表示部１１を介して視認することができるので、テレビ５の電源が投入されていない場合であっても録画予約設定操作を行うことができる。
【０２２８】
ところでパーソナルビデオレコーダ操作システム１においては、パーソナルビデオレコーダ２に対して録画予約済テレビ番組確認操作が行われる際、当該録画予約済テレビ番組確認操作に関する情報が記された種々のパーソナルビデオレコーダ画面、すなわち初期メニュー画面７０、テレビ番組リストメニュー画面１４０及び録画予約済テレビ番組タイトル一覧画面１５０をリモートコントローラ３の表示部１１に順次表示する。
【０２２９】
従って、ユーザによるテレビ番組の視聴に伴い当該テレビ番組に係る情報がテレビ５に表示されている状況でかかる録画予約済テレビ番組確認操作がパーソナルビデオレコーダ２に対して行われた場合であっても、このテレビ番組に係る情報の表示を阻害することなく当該録画予約済テレビ番組確認操作に応じた種々のパーソナルビデオレコーダ画面を表示することができる。これによりユーザは、テレビ番組に係る情報を視認しながら、録画予約済テレビ番組確認操作に関する情報を確実に視認することができ、かくしてテレビ番組の視聴を中断することなく録画予約済テレビ番組確認操作を行うことができる。また、録画予約済テレビ番組確認操作に関する情報をリモートコントローラ３の表示部１１を介して視認することができるので、テレビ５の電源が投入されていない場合であっても録画予約済テレビ番組確認操作を行うことができる。
【０２３０】
またパーソナルビデオレコーダ操作システム１においては、パーソナルビデオレコーダ２に対して録画済テレビ番組確認操作が行われる際、当該録画済テレビ番組確認操作に関する情報が記された種々のパーソナルビデオレコーダ画面、初期メニュー画面７０、テレビ番組リストメニュー画面１４０及び録画済テレビ番組タイトル一覧画面１６０をリモートコントローラ３の表示部１１に順次表示する。
【０２３１】
従って、ユーザによるテレビ番組の視聴に伴い当該テレビ番組に係る情報がテレビ５に表示されている状況でかかる録画済テレビ番組確認操作がパーソナルビデオレコーダ２に対して行われた場合であっても、このテレビ番組に係る情報の表示を阻害することなく当該録画済テレビ番組確認操作に応じた種々のパーソナルビデオレコーダ画面を表示することができる。これによりユーザは、テレビ番組に係る情報を視認しながら、録画済テレビ番組確認操作に関する情報を確実に視認することができ、かくしてテレビ番組の視聴を中断することなく録画済テレビ番組確認操作を行うことができる。また、録画済テレビ番組確認操作に関する情報をリモートコントローラ３の表示部１１を介して視認することができるので、テレビ５の電源が投入されていない場合であっても録画済テレビ番組確認操作を行うことができる。
【０２３２】
さらにパーソナルビデオレコーダ操作システム１においては、放送時間帯分類ＥＰＧ閲覧操作がパーソナルビデオレコーダに対して行われる際、当該放送時間帯分類ＥＰＧ閲覧操作に関する情報が記された種々のパーソナルビデオレコーダ画面、すなわち初期メニュー画面７０、ＥＰＧメニュー画面１８０及び放送時間帯分類ＥＰＧ画面１９０をリモートコントローラ３の表示部１１に順次表示する。
【０２３３】
従って、ユーザによるテレビ番組の視聴に伴い当該テレビ番組に係る情報がテレビ５に表示されている状況でかかる放送時間帯分類ＥＰＧ閲覧操作がパーソナルビデオレコーダ２に対して行われた場合であっても、このテレビ番組に係る情報の表示を阻害することなく当該放送時間帯分類ＥＰＧ閲覧操作に応じた種々のパーソナルビデオレコーダ画面を表示することができる。これによりユーザは、テレビ番組に係る情報を視認しながら、放送時間帯分類ＥＰＧ閲覧操作に関する情報を確実に視認することができ、かくしてテレビ番組の視聴を中断することなく放送時間帯分類ＥＰＧ閲覧操作を行うことができる。また、放送時間帯分類ＥＰＧ閲覧操作に関する情報をリモートコントローラ３の表示部１１を介して視認することができるので、テレビ５の電源が投入されていない場合であっても放送時間帯分類ＥＰＧ閲覧操作を行うことができる。
【０２３４】
さらにこのパーソナルビデオレコーダ操作システム１においては、ジャンル分類ＥＰＧ閲覧操作がパーソナルビデオレコーダに対して行われる際、当該ジャンル分類ＥＰＧ閲覧操作に関する情報が記された種々のパーソナルビデオレコーダ画面、すなわち初期メニュー画面７０、ＥＰＧメニュー画面１８０、ジャンル選択画面２００及びジャンル分類ＥＰＧ画面２１０をリモートコントローラ３の表示部１１に順次表示する。
【０２３５】
従って、ユーザによるテレビ番組の視聴に伴い当該テレビ番組に係る情報がテレビ５に表示されている状況でかかるジャンル分類ＥＰＧ閲覧操作がパーソナルビデオレコーダ２に対して行われた場合であっても、このテレビ番組に係る情報の表示を阻害することなく当該ジャンル分類ＥＰＧ閲覧操作に応じた種々のパーソナルビデオレコーダ画面を表示することができる。これによりユーザは、テレビ番組に係る情報を視認しながら、ジャンル分類ＥＰＧ閲覧操作に関する情報を確実に視認することができ、かくしてテレビ番組の視聴を中断することなくジャンル分類ＥＰＧ閲覧操作を行うことができる。また、ジャンル分類ＥＰＧ閲覧操作に関する情報をリモートコントローラ３の表示部１１を介して視認することができるので、テレビ５の電源が投入されていない場合であってもジャンル分類ＥＰＧ閲覧操作を行うことができる。
【０２３６】
さらにパーソナルビデオレコーダ操作システム１においては、パーソナルビデオレコーダ２に対して視聴履歴確認操作が行われる際、当該視聴履歴確認操作に関する情報が記された種々のパーソナルビデオレコーダ画面、すなわち初期メニュー画面７０、詳細情報メニュー画面２２０及び視聴履歴画面２３０をリモートコントローラ３の表示部１１に順次表示する。
【０２３７】
従って、ユーザによるテレビ番組の視聴に伴い当該テレビ番組に係る情報がテレビ５に表示されている状況でかかる視聴履歴確認操作がパーソナルビデオレコーダ２に対して行われた場合であっても、このテレビ番組に係る情報の表示を阻害することなく当該視聴履歴確認操作に応じた種々のパーソナルビデオレコーダ画面を表示することができる。これによりユーザは、テレビ番組に係る情報を視認しながら、視聴履歴確認操作に関する情報を確実に視認することができ、かくしてテレビ番組の視聴を中断することなく視聴履歴確認操作を行うことができる。また、視聴履歴確認操作に関する情報をリモートコントローラ３の表示部１１を介して視認することができるので、テレビ５の電源が投入されていない場合であっても視聴履歴確認操作を行うことができる。
【０２３８】
さらにパーソナルビデオレコーダ操作システム１においては、例えばパーソナルビデオレコーダ２によって再生処理を実行することによりテレビ番組「Ｎｅｗｓ　Ｓｔｕｄｉｏ」をテレビ５に再生している状態で、当該テレビ番組「Ｎｅｗｓ　Ｓｔｕｄｉｏ」のテレビ番組詳細情報を確認するためのテレビ番組詳細情報確認操作がパーソナルビデオレコーダ２に対して行われると、当該テレビ番組詳細情報確認操作に関する情報が記された種々のパーソナルビデオレコーダ画面、すなわち初期メニュー画面７０、詳細情報メニュー画面２２０及びテレビ番組詳細情報画面２４０をリモートコントローラ３の表示部１１に順次表示する。
【０２３９】
従って、ユーザによるテレビ番組「Ｎｅｗｓ　Ｓｔｕｄｉｏ」の視聴に伴い当該テレビ番組「Ｎｅｗｓ　Ｓｔｕｄｉｏ」に係る情報がテレビ５に表示されている状況でかかるテレビ番組詳細情報確認操作がパーソナルビデオレコーダ２に対して行われた場合であっても、このテレビ番組「Ｎｅｗｓ　Ｓｔｕｄｉｏ」に係る情報の表示を阻害することなく当該テレビ番組詳細情報確認操作に応じた種々のパーソナルビデオレコーダ画面を表示することができる。これによりユーザは、テレビ番組「Ｎｅｗｓ　Ｓｔｕｄｉｏ」に係る情報を視認しながら、テレビ番組詳細情報確認操作に関する情報を確実に視認することができ、かくしてテレビ番組「Ｎｅｗｓ　Ｓｔｕｄｉｏ」の視聴を中断することなくテレビ番組詳細情報確認操作を行うことができる。
【０２４０】
このようにパーソナルビデオレコーダ操作システム１においては、パーソナルビデオレコーダ２が種々のパーソナルビデオレコーダ画面のＷｅｂページをリモートコントローラ３に対して適宜提供し、リモートコントローラ３はパーソナルビデオレコーダ２から提供されたパーソナルビデオレコーダ画面のＷｅｂページに基づいてパーソナルビデオレコーダ画面を表示部１１に表示する。
【０２４１】
従ってパーソナルビデオレコーダ操作システム１においては、リモートコントローラ３によってかかる種々のパーソナルビデオレコーダ画面の画面定義データを全て記憶保持しておく必要がなく、これによりリモートコントローラ３に対して大容量の記憶装置（すなわち、ＲＯＭ２２やその他ハードディスクドライブ等）を設けなくとも、上述のように多種多様なパーソナルビデオレコーダ画面をリモートコントローラ３の表示部１１に表示させることができる。
【０２４２】
さらにパーソナルビデオレコーダ操作システム１においては、例えば広告画像ＡＰ１の広告画像データよりも新しい広告画像データが情報提供サーバ８に存在するとき、当該情報提供サーバ８はこの新しい広告画像データをインターネット７を介してパーソナルビデオレコーダ２に対して送信し、パーソナルビデオレコーダ２は新たな広告画像データを受信すると、当該受信した新たな広告画像データに基づいて新たな広告画像ＡＰ２を掲載したテレビ番組詳細情報画面２４０Ｘを生成した後これをリモートコントローラ３に対して送信することにより、リモートコントローラ３の表示部１１に表示中の広告画像ＡＰ１を掲載したテレビ番組詳細情報画面２４０を、新たな広告画像ＡＰ２を掲載したテレビ番組詳細情報画面２４０Ｘに更新することができる。
【０２４３】
これによりパーソナルビデオレコーダ操作システム１においては、ユーザがパーソナルビデオレコーダ２を操作する際に必ず視認するリモートコントローラ３の表示部１１に種々の広告画像を適宜表示することができる。
【０２４４】
以上の構成によれば、ユーザによるテレビ番組の視聴に伴い当該テレビ番組に係る情報がテレビ５に表示されている状況でリモートコントローラ３を介しパーソナルビデオレコーダ２に対する各種操作が行われる場合であっても、このテレビ番組に係る情報の表示を阻害することなく当該各種操作に応じた種々のパーソナルビデオレコーダ画面を表示することができる。
【０２４５】
また、パーソナルビデオレコーダ２を操作するユーザが手元で用いるリモートコントローラ３の表示部１１に対してかかるパーソナルビデオレコーダ画面を表示するようにした。これにより、ユーザに対してパーソナルビデオレコーダ画面を容易に視認させることができる。
【０２４６】
（７）他の実施の形態
なお上述の実施の形態においては、パーソナルビデオレコーダ２とリモートコントローラ３との間における無線接続方式としてブルートゥースを適用した場合について述べたが、本発明はこれに限らず、例えばＩｒＤＡ（Ｉｎｆｒａｒｅｄ　Ｄａｔａ　Ａｓｓｏｃｉａｔｉｏｎ）に準拠した赤外線通信等、この他種々の無線接続方式を適用するようにしても良い。
【０２４７】
また上述の実施の形態においては、パーソナルビデオレコーダ２に対して、新規録画テレビ番組確認操作、新着電子メール内容確認操作、お勧め情報確認操作、録画予約済テレビ番組確認操作、録画済テレビ番組確認操作、放送時間帯分類ＥＰＧ閲覧操作、ジャンル分類ＥＰＧ閲覧操作、視聴履歴確認操作及びテレビ番組詳細情報確認操作等の各種操作が行われる際、これら各種操作に応じた種々のパーソナルビデオレコーダ画面をリモートコントローラ３の表示部１１に適宜表示する場合について述べたが、本発明はこれに限らず、例えばパーソナルビデオレコーダ２に対してテレビ番組の録画予約を取り消すための録画予約取消操作が行われる際や、この他種々の操作が行われる際に、当該操作に応じた種々のパーソナルビデオレコーダ画面をリモートコントローラ３の表示部１１に表示するようにしても良い。
【０２４８】
さらに上述の実施の形態においては、パーソナルビデオレコーダ２によってテレビ番組（例えば、テレビ番組「Ｎｅｗｓ　Ｓｔｕｄｉｏ」）の再生処理を実行している際、再生制御画面１７０を更新するようにした場合について述べたが、本発明はこれに限らず、例えばリモートコントローラ３の表示部１１に初期メニュー画面７０を表示している状態で、パーソナルビデオレコーダ２が任意のテレビ番組の録画処理の実行を開始した際、当該パーソナルビデオレコーダ２によってリモートコントローラ３の表示部１１に表示中の初期メニュー画面７０を、例えば図３７に示すような初期メニュー画面７０Ｙへ強制的に更新することにより、パーソナルビデオレコーダ２において録画処理の実行が開始された旨をユーザに対して通知するようにしても良い。このように、パーソナルビデオレコーダ２によってリモートコントローラ３の表示部１１に表示される種々のパーソナルビデオレコーダ画面を強制的に更新し得ることにより、当該パーソナルビデオレコーダ２における様々な処理の処理状況をユーザに対して能動的に通知することができる。
【０２４９】
さらに上述の実施の形態においては、情報提供サーバ８が新たな広告画像ＡＰ２の広告画像データをパーソナルビデオレコーダ２に対して送信することにより、リモートコントローラ３の表示部１１に表示されていた広告画像ＡＰ１を更新する場合について述べたが、本発明はこれに限らず、例えば、情報提供サーバ８が、例えばイベント（抽選プレゼント等）に関する情報やこの他種々の情報が記されたデータをパーソナルビデオレコーダ２に対して送信することにより、リモートコントローラ３の表示部１１にこれら種々の情報を適宜更新して表示するようにしても良い。これにより、例えば情報提供サーバ８の運営業者等はユーザに伝えたい種々の情報を当該ユーザに対して能動的に提示することができる
【０２５０】
さらに上述の実施の形態においては、情報提供サーバ８が、パーソナルビデオレコーダ２によって新たな広告画像が存在するか否か確認するように要求されたとき（ステップＳＰ１１７（図３６））、新たな広告画像の広告画像データがハードディスクドライブ５４における広告画像記憶領域に記憶されているかを確認し（ステップＳＰ１１８（図３６））、当該確認の結果、新たな広告画像の広告画像データが存在したとき、これをリモートコントローラ３に対して送信する（ステップＳＰ１１９（図３６））場合について述べたが、本発明はこれに限らず、例えば、情報提供サーバ８は、当該情報提供サーバ８の運営業者等によって新しい広告画像の広告画像データがハードディスクドライブ５４の広告画像記憶領域に対してアップデートされたとき、当該新しい広告画像の広告画像データをパーソナルビデオレコーダ２に対して送信するようにしても良い。
【０２５１】
さらに上述の実施の形態においては、ＨＴＭＬソースコードＳＲＣ２（図１７）及びＳＲＣ４（図２４）におけるアニメーション表示の形態を規定するための属性項目「Ａｎｉｍａｔｉｏｎ−ｔｙｐｅ」に対して、アニメーション表示対象を下側方向へ移動させることを意味する「ＭｏｖｅＦｒｏｍＴｏｐ」やアニメーション表示対象を上側に移動させることを意味する「ＭｏｖｅＴｏＴｏｐ」を設定する場合について述べたが、本発明はこれに限らず、アニメーション表示対象をズームイン表示させることを意味する「Ｚｏｏｍｉｎ」や、アニメーション表示対象を右側又は左側に移動させることを意味する「ＭｏｖｅＴｏＲｉｇｈｔ」又は「ＭｏｖｅＴｏＬｅｆｔ」等を設定するようにしても良い。
【０２５２】
またこの属性項目「Ａｎｉｍａｔｉｏｎ−ｔｙｐｅ」だけでなく、例えばアニメーション表示の速度変化を規定するための属性項目「Ｖｅｌｏｃｉｔｙ−Ｔｙｐｅ」やアニメーション表示の開始を遅らせるための属性項目「Ｗａｉｔ」を設け、この属性項目「Ｖｅｌｏｃｉｔｙ−Ｔｙｐｅ」に対しては、例えば常に一定の速度でアニメーション表示させることを意味する属性値「Ｌｉｎｅａｒ」や、アニメーション表示開始時の速度が速くてアニメーション表示終了時の速度が遅いことを意味する属性値「ＦｉｒｓｔＩｎＳｌｏｗＯｕｔ」を設定するようにしたり、また、属性項目「Ｗａｉｔ」に対しては、例えば属性値「１ｓ」を設定することによりアニメーション表示の開始を一秒遅らせるようにしても良い。
【０２５３】
そしてこれら属性項目「Ａｎｉｍａｔｉｏｎ−ｔｙｐｅ」、属性項目「Ｖｅｌｏｃｉｔｙ−Ｔｙｐｅ」及び属性項目「Ｗａｉｔ」のそれぞれ又はこれらの組み合わせを、リンク先のＷｅｂページを指定するためのタグ「＜Ａ＞」の内部や、画像データを指定するためのタグ「＜ＩＭＧ＞」の内部に記述することにより、タグ「＜Ａ＞」によって指定されたリンク先のＷｅｂページを様々な形態でアニメーション表示させたり、タグ「＜ＩＭＧ＞」によって指定された画像データに基づく画像を様々な形態でアニメーション表示させるようにしても良い。従って、リモートコントローラ３の表示部１１を介して種々のパーソナルビデオレコーダ画面をユーザに視認させる際、当該パーソナルビデオレコーダ画面における種々の文字及び画像をアニメーション表示させることができ、これにより種々の文字及び画像からなる特定の情報をユーザに注視させることができる。
【０２５４】
さらに上述の実施の形態においては、パーソナルビデオレコーダ２が新たな電子メールを受信して電子メール受信処理を終了した際、リモートコントローラ３において、ＬＥＤ１２を発光させると共に、スピーカ２７から電子メール受信通知音楽を出力するようにした場合について述べたが、本発明はこれに限らず、例えば、リモートコントローラ３の内部にバイブレータを配設し、パーソナルビデオレコーダ２が新たな電子メールを受信して電子メール受信処理を終了した際、かかるバイブレータを駆動することによってリモートコントローラ３を振動させるようにしても良い。また、パーソナルビデオレコーダ２が新たな電子メールを受信して電子メール受信処理を終了した際、リモートコントローラ３の表示部１１全体を発光させるようにしても良い。このように、バイブレータや表示部１１等、この他種々の通知手段を用いるようにしても良く、これらＬＥＤ１２の発光、スピーカ２７から電子メール受信通知音楽の出力、バイブレータの駆動及び表示部１１の発光等のそれぞれを単独又は組み合わせて用いるようにしても良い。
【０２５５】
さらに上述の実施の形態においては、リモートコントローラ３によって操作される電子機器として、パーソナルビデオレコーダ２を適用し、主表示情報としてのテレビ番組に係る情報をテレビ５に表示している状況で、パーソナルビデオレコーダ２に対して各種操作が行われると、副表示情報としての当該各種操作に関する種々の情報をリモートコントローラ３の表示部１１に表示する場合について述べたが、本発明はこれに限らず、例えば、ビデオテープレコーダや衛星放送チューナー装置（ＣＳ（Ｃｏｍｍｕｎｉｃａｔｉｏｎｓ　Ｓａｔｅｌｌｉｔｅ）チューナー装置）等のテレビに接続されて利用され当該テレビに対してテレビ番組を表示するためのテレビ番組制御装置や、エアコン（Ａｉｒ　Ｃｏｎｄｉｔｉｏｎｅｒ）又は電子レンジ（Ｍｉｃｒｏｗａｖｅ　Ｏｖｅｎ）等の電子機器をリモートコントローラ３の操作対象として適用するようにしても良い。この場合、かかるテレビ番組制御装置においては、例えば、主表示情報としてテレビ番組に係る情報をテレビ５に表示しつつ、副表示情報として当該テレビ番組制御装置に対する各種操作についての種々の情報をリモートコントローラ３の表示部１１に表示しても良く、一方、エアコン又は電子レンジ等のこの他種々の電子機器においては、例えば、主表示情報として当該電子機器における所定の処理の処理状況を示す情報（例えば、エアコンであれば「送風中」等の情報）を電子機器に設けられた表示部に表示しつつ、副表示情報として当該電子機器に対する各種操作についての種々の情報をリモートコントローラ３の表示部１１に表示しても良い。
【０２５６】
さらに上述の実施の形態においては、パーソナルビデオレコーダ画面の画面定義データとして、ＨＴＭＬソースコード及びそれに付随するＧＩＦ形式の各種画像データによって構成されたＷｅｂページを適用する場合について述べたが、本発明はこれに限らず、例えば、パーソナルビデオレコーダ画面の画面定義データを、ＸＭＬ（ｅＸｔｅｎｓｉｂｌｅ　Ｍａｒｋｕｐ　Ｌａｎｇｕａｇｅ）やＣｏｍｐａｃｔＨＴＭＬ等によって記述されたソースコード及びそれに付随するＪＰＥＧ（Ｊｏｉｎｔ　Ｐｈｏｔｏｇｒａｐｈｉｃ　ＥｘｐｅｒｔｓＧｒｏｕｐ）形式でなる各種画像データ等によって構成しても良く、この他種々の形式でなるデータによってパーソナルビデオレコーダ画面の画面定義データを構成するようにしても良い。
【０２５７】
さらに上述の実施の形態においては、ＷＷＷサーバとして機能するパーソナルビデオレコーダ２が、当該パーソナルビデオレコーダ２の操作に関連したパーソナルビデオレコーダ画面をＷｅｂページとして提供するようにしたことにより、例えば図３８に示すように、操作端末としてのリモートコントローラ３の表示部１１に限らず、ブルートゥースに準拠した無線通信方式によって通信可能且つＷｅｂページ閲覧可能な携帯電話機３００の表示部３０１やＰＤＡ（Ｐｅｒｓｏｎａｌ　Ｄｉｇｉｔａｌ　Ａｓｓｉｓｔａｎｃｅ）３１０の表示部３１１等にかかるパーソナルビデオレコーダ画面を表示させることができ、かくしてユーザは、携帯電話機３００やＰＤＡ３１０等の種々の携帯情報処理端末をパーソナルビデオレコーダ２の操作端末として適用することができる。
【０２５８】
さらに上述の実施の形態においては、パーソナルビデオレコーダ２が、配信予定提供装置としてのＥＰＧ配信局から送出された地上放送波を地上放送受信アンテナ６を介して受信することにより、配信予定情報としてのＥＰＧ情報を取得する場合について述べたが、本発明はこれに限らず、例えば、パーソナルビデオレコーダ２が、インターネット７に接続されているＥＰＧ情報を配信するための図示しないＥＰＧ配信サーバから当該インターネット７を介してＥＰＧ情報を取得するようにしても良い。
【０２５９】
さらに上述の実施の形態においては、パーソナルビデオレコーダ２が新たな電子メールを受信して電子メール受信処理を終了した際、リモートコントローラ３におけるＬＥＤ１２を発光させると共に、スピーカ２７から電子メール受信通知音楽を出力する場合について述べたが、本発明はこれに限らず、例えば、パーソナルビデオレコーダ２が新たなテレビ番組を録画する録画処理を終了した際、リモートコントローラ３におけるＬＥＤ１２を発光させると共に、スピーカ２７から所定の通知音楽を出力するようにしても良い。このように、パーソナルビデオレコーダ２におけるこの他種々の処理が終了した際に、リモートコントローラ３におけるＬＥＤ１２を発光させると共に、スピーカ２７から所定の通知音楽を出力するようにしても良い。
【０２６０】
さらに上述の実施の形態においては、パーソナルビデオレコーダ２のハードディスクドライブ３４におけるパーソナルビデオレコーダ画面記憶領域に対して、種々のパーソナルビデオレコーダ画面がＷｅｂページとして予め記憶されている場合について述べたが、本発明はこれに限らず、例えば、パーソナルビデオレコーダ２に対してパーソナルビデオレコーダ画面のＷｅｂページを生成するためのプログラム（以下、これをＷｅｂページ生成プログラムと呼ぶ）をインストールしておき、リモートコントローラ３がパーソナルビデオレコーダ２に対してパーソナルビデオレコーダ画面のＷｅｂページを要求したとき、パーソナルビデオレコーダ２のＣＰＵ３０が、Ｗｅｂページ生成プログラムに従って当該要求に応じたＷｅｂページを生成するようにしても良い。
【０２６１】
さらに上述の実施の形態においては、パーソナルビデオレコーダ２によって電子メールの管理（パーソナルビデオレコーダ２宛の電子メールを受信する電子メール受信処理等）や新規情報の管理（お勧め情報の取得等）を行う場合について述べたが、本発明はこれに限らず、例えば、パーソナルビデオレコーダ２をルータとして機能させ、情報提供サーバ８によって電子メールの管理や新規情報の管理を行うようにしても良い。
【０２６２】
さらに上述の実施の形態においては、情報提供サーバ８が、パーソナルビデオレコーダ２からテレビ番組お勧め情報を送信するように要求を受けると、当該テレビ番組お勧め情報をパーソナルビデオレコーダ２に対して送信し、パーソナルビデオレコーダ２は、情報提供サーバ８からかかる要求に応じたテレビ番組お勧め情報を受信すると、当該受信したテレビ番組お勧め情報に基づいてお勧め情報画面１２０のＷｅｂページを生成してこれをリモートコントローラ３に対して送信する場合について述べたが、本発明はこれに限らず、例えば、情報提供サーバ８が、パーソナルビデオレコーダ２からテレビ番組お勧め情報を送信するように要求を受けることなく、テレビ番組お勧め情報の内容が記されたＷｅｂページをパーソナルビデオレコーダ２を介しリモートコントローラ３に対して直接送信するようにしても良い。
【０２６３】
さらに上述の実施の形態においては、ユーザによって操作入力部２４を介してリモートコントローラ３の表示部１１に表示している任意のテレビ番組のタイトルが選択された際、当該選択されたテレビ番組のタイトルをリモートコントローラ３の表示部１１のみにおいてアニメーション表示する場合について述べたが、本発明はこれに限らず、例えば、ユーザによって操作入力部２４を介してリモートコントローラ３の表示部１１に表示している任意のテレビ番組のタイトルが選択された際、当該選択されたテレビ番組のタイトルをリモートコントローラ３の表示部１１の下側から上側に向ってアニメーション表示すると共に、このとき、パーソナルビデオレコーダ２が所定の映像信号をテレビ５に対して供給することにより、テレビ５においてテレビ番組の映像を表示するための枠を下側から上側に向ってアニメーション表示させるようにし、当該枠の全てがテレビ５に表示されたとき、当該枠の中に対してかかるユーザによって選択されたテレビ番組を再生するようにしても良い。このようにすれば、ユーザによって選択されたテレビ番組の再生場所を当該ユーザに対して容易に認識させることができ、かくして、理解し易く使い勝手の良いユーザインターフェースを提供することができる。
【０２６４】
さらに上述の実施の形態においては、ＨＴＭＬソースコードにおいて、タグ「＜Ａ＞」の内部に属性項目「ｍｏｄｅ」が記述され、当該属性項目「ｍｏｄｅ」に対して「ｃｏｎｔｒｏｌ」が設定されていると、ＨＴＴＰヘッダのみを送信することにより、当該タグ「＜Ａ＞」の内部における属性項目「ＨＲＥＦ」に対して設定された属性値、例えば「予約する−Ｃｏｎｔｒｏｌ．ｈｔｍｌ」をパーソナルビデオレコーダ２に対して伝達し、当該パーソナルビデオレコーダ２は、リモートコントローラ３からＨＴＴＰヘッダを受信することにより例えば属性値「予約する−Ｃｏｎｔｒｏｌ．ｈｔｍｌ」を認識すると、これをテレビ番組「Ｎｅｗｓ　Ｓｔｕｄｉｏ」の録画予約命令と判断し、テレビ番組「Ｎｅｗｓ　Ｓｔｕｄｉｏ」を録画予約する録画予約処理を実行する場合について述べたが、本発明はこれに限らず、例えば、パーソナルビデオレコーダ２に対して録画予約処理を実行するためのＣＧＩプログラムを予めインストールしておくと共に、ＨＴＭＬソースコードにおいて、例えば、属性項目「ＨＲＥＦ」に対する属性値として録画予約処理を実行するためのＣＧＩアプリケーションを指定しておくようにしても良い。
【０２６５】
さらに上述の実施の形態においては、パーソナルビデオレコーダ２が、種々のパーソナルビデオレコーダ画面のＷｅｂページを提供するためのサーバとして機能する場合について述べたが、本発明はこれに限らず、例えば、パーソナルビデオレコーダ２をインターネット７と接続するためのルータとして機能させても良い。このようにすれば、インターネット７に接続されている図示しないこの他種々のＷＷＷサーバが提供しているＷｅｂページを、リモートコントローラ３を用いて閲覧することができる。このとき、パーソナルビデオレコーダ２に対して、例えばテレビ５に表示されたテレビ番組における様々なキーワードからインターネット検索できるようなＣＧＩアプリケーションをインストールしておくと共に、リモートコントローラ３に対してかかるキーワードを入力するためのデバイスを設ければ、リモートコントローラ３を用いてテレビ番組に関する種々のＷｅｂページを閲覧することができる。
【０２６６】
さらに上述の実施の形態においては、１台のリモートコントローラ３によって１台のパーソナルビデオレコーダ２を操作する場合について述べたが、本発明はこれに限らず、サーバとして機能する複数台のパーソナルビデオレコーダを所定のネットワーク（例えば、ＬＡＮ等）に接続しておき、クライアントとして機能する例えば１台のリモートコントローラ３によってかかる複数台のパーソナルビデオレコーダのそれぞれを操作するようにしても良い。
【０２６７】
このとき、ユーザの近くに存在するパーソナルビデオレコーダにより、所定のネットワークに接続されている他のパーソナルビデオレコーダによって録画されたテレビ番組を再生するようにしても良い。この場合、ユーザの近くに存在するパーソナルビデオレコーダに対して、ネットワークを介して他のパーソナルビデオレコーダに録画されたテレビ番組を再生するためのＣＧＩプログラムをインストールしておくことにより、ユーザはリモートコントローラ３を用いてユーザの近くに存在するパーソナルビデオレコーダを操作して、所定のネットワークに接続されている他のパーソナルビデオレコーダに録画されたテレビ番組を再生することができる。
【０２６８】
さらに上述の実施の形態においては、パーソナルビデオレコーダ２のハードディスクドライブ３４にパーソナルビデオレコーダ画面のＷｅｂページが予め格納されていると共に、パーソナルビデオレコーダ２のＲＯＭ３２に操作画面生成プログラムが予め格納されている場合について述べたが、本発明はこれに限らず、例えば、種々のデザイン又は仕様からなるパーソナルビデオレコーダ画面、及び種々のデザイン又は仕様からなるパーソナルビデオレコーダ画面を生成するための操作画面生成プログラムを保持する画面定義データ更新装置としての画面更新サーバ（図示せず）をインターネット７に接続させ、当該画面更新サーバによってパーソナルビデオレコーダ２のハードディスクドライブ３４及びＲＯＭ３２に予め格納されているパーソナルビデオレコーダ画面のＷｅｂページ及び操作画面生成プログラムを、新たなパーソナルビデオレコーダ画面のＷｅｂページ及び新たな操作画面生成プログラムに更新するようにしても良い。
【０２６９】
これにより、ユーザに対してリモートコントローラ３を買い換えさせることなく、例えば新たなデザインのパーソナルビデオレコーダ画面を追加する等、リモートコントローラ３の表示部１１に表示するパーソナルビデオレコーダ操作画面の画面仕様を簡易に変更することができ、また、パーソナルビデオレコーダ２を使用するユーザの要望に応じて、当該ユーザが視認し易いと感じるパーソナルビデオレコーダ画面を容易に提供することができる。
【０２７０】
さらに上述の実施の形態においては、パーソナルビデオレコーダ２からブルートゥースに準拠した無線通信方式に従って受信した所定形式でなる画面定義データを解読する画面定義データ解読手段として、リモートコントローラ３のＣＰＵ２０を適用する場合について述べたが、本発明はこれに限らず、例えば、画面定義データを解読する機能を有したマイクロコンピュータ（ｍｉｃｒｏｃｏｍｐｕｔｅｒ）等、この他種々の画面定義データ解読手段を適用することができる。
【０２７１】
さらに上述の実施の形態においては、画面定義データ解読手段の解読結果に基づくパーソナルビデオレコーダ画面を表示部１１に表示する表示制御手段として、リモートコントローラ３の表示制御部２６を適用する場合について述べたが、本発明はこれに限らず、例えば、ビデオカード等のこの他種々の表示制御手段を適用することができる。
【０２７２】
さらに上述の実施の形態においては、パーソナルビデオレコーダ２の操作に関する情報を記したＷｅｂページをブルートゥースに準拠した無線通信方式に従ってリモートコントローラ３に対して送信することにより、パーソナルビデオレコーダ２の操作に関する情報を記したパーソナルビデオレコーダ画面をリモートコントローラ３の表示部１１に表示させる画面定義データ送信手段として、パーソナルビデオレコーダ２のＣＰＵ３０及び無線通信処理部３６等を適用する場合について述べたが、本発明はこれに限らず、マイクロコンピュータ及びＩｒＤＡ（Ｉｎｆｒａｒｅｄ　Ｄａｔａ　Ａｓｓｏｃｉａｔｉｏｎ）規格に準拠した赤外線通信を行うための通信処理部等、この他種々の画面定義データ送信手段を適用するようにしても良い。
【０２７３】
さらに上述の実施の形態においては、画面定義データとしてのＷｅｂページを記憶保持する画面定義データ記憶手段として、ハードディスクドライブ３４を適用する場合について述べたが、本発明はこれに限らず、例えば、半導体メモリを画面定義データ記憶手段として適用するようにしても良い。
【０２７４】
さらに上述の実施の形態においては、表示部１１に表示したパーソナルビデオレコーダ２の操作に関する情報に基づいて、パーソナルビデオレコーダ２に所定の処理を実行させるための制御情報を入力させる入力手段として、十字キー１３、決定キー１４、メニューキー１５及び電源キー１６からなる操作入力部２４を適用する場合について述べたが、本発明はこれに限らず、例えば、タッチスクリーンや、ポインティングデバイス等、この他種々の入力手段を適用するようにしても良い。
【０２７５】
さらに上述の実施の形態においては、かかる制御情報をブルートゥースに準拠した無線通信方式に従ってパーソナルビデオレコーダ２に対して送信する制御情報送信手段として、リモートコントローラ３のＣＰＵ２０及び無線通信処理部２９を適用する場合について述べたが、本発明はこれに限らず、マイクロコンピュータ及びＩｒＤＡ規格に準拠した赤外線通信を行うための通信処理部等、この他種々の制御情報送信手段を適用するようにしても良い。
【０２７６】
さらに上述の実施の形態においては、リモートコントローラ３からブルートゥースに準拠した無線通信方式に従ってかかる制御情報を受信する制御情報受信手段として、パーソナルビデオレコーダ２のＣＰＵ３０及び無線通信処理部３６を適用する場合について述べたが、本発明はこれに限らず、マイクロコンピュータ及びＩｒＤＡ規格に準拠した赤外線通信を行うための通信処理部等、この他種々の制御情報受信手段を適用するようにしても良い。
【０２７７】
さらに上述の実施の形態においては、かかる制御情報に応じて自動録画処理や録画予約処理等の所定の処理を実行する処理実行手段として、パーソナルビデオレコーダ２のＣＰＵ３０を適用する場合について述べたが、本発明はこれに限らず、マイクロコンピュータ等のこの他種々の処理実行手段を適用するようにしても良い。
【０２７８】
さらに上述の実施の形態においては、パーソナルビデオレコーダ２における所定の処理の実行中又は実行終了後、当該所定の処理の処理状況又は処理結果の内容を記した副表示情報をブルートゥースに準拠した無線通信方式に従ってリモートコントローラ３に対して送信する処理情報送信手段として、パーソナルビデオレコーダ２のＣＰＵ３０及び無線通信処理部３６を適用する場合について述べたが、本発明はこれに限らず、マイクロコンピュータ及びＩｒＤＡ規格に準拠した赤外線通信を行うための通信処理部等、この他種々の処理情報送信手段を適用するようにしても良い。
【０２７９】
さらに上述の実施の形態においては、パーソナルビデオレコーダ２とインターネット７を介して接続されており、新たな副表示情報をインターネット７を介してパーソナルビデオレコーダ２に対して送信する新規情報提供手段として、新規情報提供装置としての情報提供サーバ８のＣＰＵ５０及びネットワークインターフェース５５を適用する場合について述べたが、本発明はこれに限らず、マイクロコンピュータ（Ｍｉｃｒｏｃｏｍｐｕｔｅｒ）及びモデム（ＭＯＤＥＭ）等、この他種々の新規情報送信手段を適用するようにしても良い。
【０２８０】
さらに上述の実施の形態においては、情報提供サーバ８から新たな副表示情報として新たな広告画像（例えば、広告画像ＡＰ２）を受信する度に、当該新たな広告画像をリモートコントローラ３に対して送信し、当該リモートコントローラ３の表示部１１に表示されている広告画像を新たな広告画像に逐次更新させる更新手段として、パーソナルビデオレコーダ２のＣＰＵ３０及び無線通信処理部３６を適用する場合について述べたが、本発明はこれに限らず、マイクロコンピュータ及びＩｒＤＡ規格に準拠した赤外線通信を行うための通信処理部等、この他種々の更新手段を適用するようにしても良い。
【０２８１】
さらに上述の実施の形態においては、所定の通信路としてのインターネット７を適用する場合について述べたが、本発明はこれに限らず、例えば、ＬＡＮ（Ｌｏｃａｌ　Ａｒｅａ　Ｎｅｔｗｏｒｋ）やＷＡＮ（Ｗｉｄｅ　Ａｒｅａ　Ｎｅｔｗｏｒｋ）又は専用線等の有線や、ＰＤＣ（Ｐｅｒｓｏｎａｌ　Ｄｉｇｉｔａｌ　Ｃｅｌｌｕｌａｒ　Ｔｅｌｅｃｏｍｍｕｎｉｃａｔｉｏｎ　Ｓｙｓｔｅｍ）方式等に準拠した無線を所定の通信路として適用するようにしても良い。
【０２８２】
さらに上述の実施の形態においては、映像コンテンツとしてテレビ番組を適用する場合について述べたが、本発明はこれに限らず、例えば、インターネット７を介して配信される動画像データ等を映像コンテンツとして適用しても良い。
【０２８３】
さらに上述の実施の形態においては、映像コンテンツを配信する配信局として放送衛星（図示せず）を適用する場合について述べたが、例えば、インターネット７を介して動画像データ等の映像コンテンツを配信するコンテンツ配信サーバ等を適用しても良い。
【０２８４】
さらに上述の実施の形態においては、放送衛星から配信されるテレビ番組（すなわち、テレビ放送波）を受信する映像コンテンツ受信手段としてチューナー部３８を適用する場合について述べたが、本発明はこれに限らず、例えば、インターネット７を介して動画像データ等の映像コンテンツを受信するためのネットワークインターフェース等を適用するようにしても良い。
【０２８５】
さらに上述の実施の形態においては、映像コンテンツを主表示情報として所定の表示手段としてのテレビ５に表示する映像コンテンツ表示制御手段として、表示制御部３７を適用する場合について述べたが、本発明はこれに限らず、例えば、ビデオカード等を適用するようにしても良い。
【０２８６】
さらに上述の実施の形態においては、表示履歴情報としての再生履歴情報を記憶する表示履歴記憶手段として、ハードディスクドライブ３４を適用する場合について述べたが、本発明はこれに限らず、例えば、半導体メモリ等を適用するようにしても良い。
【０２８７】
さらに上述の実施の形態においては、表示履歴情報を副表示情報としてリモートコントローラ３に対して送信する表示履歴送信手段、電子メールの内容が記されてなる副表示情報をリモートコントローラ３に対して送信する電子メール内容送信手段、配信予定情報を副表示情報としてリモートコントローラ３に対して送信する配信予定送信手段、要求対象関連情報を副表示情報としてリモートコントローラ３に対して送信する関連情報送信手段、録画済映像コンテンツタイトル情報を副表示情報としてリモートコントローラ３に対して送信する録画済映像コンテンツタイトル送信手段、録画予約済映像コンテンツタイトル情報を副表示情報としてリモートコントローラ３に対して送信する録画予約済映像コンテンツタイトル送信手段として、パーソナルビデオレコーダ２のＣＰＵ３０及び無線通信処理部３６を適用する場合について述べたが、本発明はこれに限らず、マイクロコンピュータ及びＩｒＤＡ規格に準拠した赤外線通信を行うための通信処理部等、この他種々の更新手段を適用するようにしても良い。
【０２８８】
さらに上述の実施の形態においては、複数種類の映像コンテンツのそれぞれに対応した関連情報としてのテレビ番組詳細情報を記憶する関連情報記憶手段として、関連情報提供装置としての情報提供サーバ８におけるハードディスクドライブ５４を適用する場合について述べたが、本発明はこれに限らず、例えば、半導体メモリ等を適用するようにしても良い。
【０２８９】
さらに上述の実施の形態においては、パーソナルビデオレコーダ２からの要求に応じた要求対象関連情報としてのテレビ番組詳細情報をインターネット７を介してパーソナルビデオレコーダ２に対して提供する関連情報提供手段として、情報提供サーバ８のＣＰＵ５０及びネットワークインターフェース５５等を適用する場合について述べたが、本発明はこれに限らず、マイクロコンピュータ及びインターネット７と接続するためのこの他種々の通信制御装置等を適用するようにしても良い。
【０２９０】
さらに上述の実施の形態においては、表示制御部３６によってテレビ５に表示中のテレビ番組に対応するテレビ番組詳細情報を要求対象関連情報として情報提供サーバ８に対して要求する要求手段、電子メールを受信する電子メール受信手段として、パーソナルビデオレコーダ２のＣＰＵ３０及びネットワークインターフェース４０等を適用する場合について述べたが、本発明はこれに限らず、マイクロコンピュータ及びインターネット７と接続するためのこの他種々の通信制御装置等を適用するようにしても良い。
【０２９１】
さらに上述の実施の形態においては、映像コンテンツを記憶するための映像コンテンツ記憶手段として、パーソナルビデオレコーダ２のハードディスクドライブ３４を適用する場合について述べたが、本発明はこれに限らず、例えば、半導体メモリ等を適用するようにしても良い。
【０２９２】
さらに上述の実施の形態においては、配信局から配信される複数種類の映像コンテンツの中から任意の映像コンテンツを録画予約対象として指定する指定手段、映像コンテンツを録画する録画手段として、パーソナルビデオレコーダ２のＣＰＵ３０を適用する場合について述べたが、本発明はこれに限らず、マイクロコンピュータ等を適用するようにしても良い。
【０２９３】
【発明の効果】
上述のように本発明によれば、電子機器と、当該電子機器を操作するために用いられる操作端末とによって構成される電子機器操作システムにおいて、電子機器は、主表示情報に関連した又は当該主表示情報から独立した副表示情報を所定の無線通信方式に従って送信し、操作端末は、当該操作端末に設けられた表示部に対してかかる無線通信方式に従って電子機器から受信した副表示情報を表示するようにした。これにより、主表示情報の表示を阻害することなく副表示情報を表示することができると共に、電子機器を操作するユーザに対して副表示情報を容易に視認させることができ、かくして、従来と比して格段と良好な視認性を確保して情報を表示し得る電子機器操作システムを実現することができる。
【図面の簡単な説明】
【図１】本発明の一実施の形態としてのパーソナルビデオレコーダ操作システムの全体構成を示す略線図である。
【図２】リモートコントローラの外観構成を示す略線図である。
【図３】リモートコントローラの回路構成を示す略線図である。
【図４】リモートコントローラのソフトウェア構成を示す略線図である。
【図５】パーソナルビデオレコーダの回路構成を示す略線図である。
【図６】パーソナルビデオレコーダのソフトウェア構成を示す略線図である。
【図７】情報提供サーバの回路構成を示す略線図である。
【図８】パーソナルビデオレコーダ画面表示処理シーケンス（１）を示すシーケンスチャートである。
【図９】リクエストメッセージ及びレスポンスメッセージの構成を示す略線図である。
【図１０】パーソナルビデオレコーダ画面の表示遷移（１）を示す略線図である。
【図１１】パーソナルビデオレコーダ画面の表示遷移（２）を示す略線図である。
【図１２】パーソナルビデオレコーダ画面表示処理シーケンス（２−１）を示すシーケンスチャートである。
【図１３】パーソナルビデオレコーダ画面表示処理シーケンス（２−２）を示すシーケンスチャートである。
【図１４】パーソナルビデオレコーダ画面表示処理シーケンス（３−１）を示すシーケンスチャートである。
【図１５】パーソナルビデオレコーダ画面表示処理シーケンス（３−２）を示すシーケンスチャートである。
【図１６】パーソナルビデオレコーダ画面表示処理シーケンス（３−３）を示すシーケンスチャートである。
【図１７】お勧め情報画面のＨＴＭＬソースコードを示す略線図である。
【図１８】アニメーション表示の様子（１）を示す略線図である。
【図１９】録画予約設定画面及びそのＨＴＭＬソースコードを示す略線図である。
【図２０】パーソナルビデオレコーダ画面表示処理シーケンス（４）を示すシーケンスチャートである。
【図２１】パーソナルビデオレコーダ画面の表示遷移（３）を示す略線図である。
【図２２】パーソナルビデオレコーダ画面表示処理シーケンス（５−１）を示すシーケンスチャートである。
【図２３】パーソナルビデオレコーダ画面表示処理シーケンス（５−２）を示すシーケンスチャートである。
【図２４】再生制御画面及びそのＨＴＭＬソースコードを示す略線図である。
【図２５】アニメーション表示の様子（２）を示す略線図である。
【図２６】新たな再生制御画面を示す略線図である。
【図２７】パーソナルビデオレコーダ画面表示処理シーケンス（６−１）を示すシーケンスチャートである。
【図２８】パーソナルビデオレコーダ画面表示処理シーケンス（６−２）を示すシーケンスチャートである。
【図２９】パーソナルビデオレコーダ画面の表示遷移（４）を示す略線図である。
【図３０】パーソナルビデオレコーダ画面表示処理シーケンス（７−１）を示すシーケンスチャートである。
【図３１】パーソナルビデオレコーダ画面表示処理シーケンス（７−２）を示すシーケンスチャートである。
【図３２】パーソナルビデオレコーダ画面表示処理シーケンス（８）を示すシーケンスチャートである。
【図３３】パーソナルビデオレコーダ画面の表示遷移（５）を示す略線図である。
【図３４】パーソナルビデオレコーダ画面表示処理シーケンス（９−１）を示すシーケンスチャートである。
【図３５】パーソナルビデオレコーダ画面表示処理シーケンス（９−２）を示すシーケンスチャートである。
【図３６】パーソナルビデオレコーダ画面表示処理シーケンス（９−３）を示すシーケンスチャートである。
【図３７】他の実施の形態（１）を示す略線図である。
【図３８】他の実施の形態（２）を示す略線図である。
【符号の説明】
１……パーソナルビデオレコーダ操作システム、２……パーソナルビデオレコーダ、３……リモートコントローラ、５……テレビジョン、７……インターネット、８……情報提供サーバ、１１……表示部、２０、３０、５０……ＣＰＵ、２４……操作入力部、２９、３６……無線通信処理部、４０、５５、６５……ネットワークインターフェース。
【図１】
2004135194.tif 000003
【図２】
2004135194.tif 000004
【図３】
2004135194.tif 000005
【図４】
2004135194.tif 000006
【図５】
2004135194.tif 000007
【図６】
2004135194.tif 000008
【図７】
2004135194.tif 000009
【図８】
2004135194.tif 000010
【図９】
2004135194.tif 000011
【図１０】
2004135194.tif 000012
【図１１】
2004135194.tif 000013
【図１２】
2004135194.tif 000014
【図１３】
2004135194.tif 000015
【図１４】
2004135194.tif 000016
【図１５】
2004135194.tif 000017
【図１６】
2004135194.tif 000018
【図１７】
2004135194.tif 000019
【図１８】
2004135194.tif 000020
【図１９】
2004135194.tif 000021
【図２０】
2004135194.tif 000022
【図２１】
2004135194.tif 000023
【図２２】
2004135194.tif 000024
【図２３】
2004135194.tif 000025
【図２４】
2004135194.tif 000026
【図２５】
2004135194.tif 000027
【図２６】
2004135194.tif 000028
【図２７】
2004135194.tif 000029
【図２８】
2004135194.tif 000030
【図２９】
2004135194.tif 000031
【図３０】
2004135194.tif 000032
【図３１】
2004135194.tif 000033
【図３２】
2004135194.tif 000034
【図３３】
2004135194.tif 000035
【図３４】
2004135194.tif 000036
【図３５】
2004135194.tif 000037
【図３６】
2004135194.tif 000038
【図３７】
2004135194.tif 000039
【図３８】
2004135194.tif 000040